(57)【要約】ある特定の態様では、ワイヤレスデバイスにおいてインプリメントされる方法は、第１のワイヤレス通信技術についての比吸収率（ＳＡＲ）分布を決定することと、第２のワイヤレス通信技術についての電力密度（ＰＤ）分布を決定することと、組み合わされたＲＦ曝露分布を生成するために、ＳＡＲ分布とＰＤ分布とを組み合わせることとを含む。方法はまた、組み合わされたＲＦ曝露分布に基づいて、将来のタイムスロットについての少なくとも１つの第１の最大許容電力レベル及び少なくとも１つの第２の最大許容電力レベルを決定することと、少なくとも１つの第１の最大許容電力レベルに基づいて、将来のタイムスロットにおける第１の送信機についての少なくとも１つの送信電力限界を設定することと、少なくとも１つの第２の最大許容電力レベルに基づいて、将来のタイムスロットにおける第２の送信機についての少なくとも１つの送信電力限界を設定することとを含む。【選択図】図９
2021529469.tif 000002
【特許請求の範囲】
【請求項１】
ワイヤレスデバイスであって、
第１のワイヤレス通信技術に従って第１の信号を送信するように構成された第１の送信機と、
第２のワイヤレス通信技術に従って第２の信号を送信するように構成された第２の送信機と、
前記第１及び第２の送信機に結合されたプロセッサと
を備え、前記プロセッサは、
前記第１のワイヤレス通信技術についての比吸収率（ＳＡＲ）分布を決定することと、
前記第２のワイヤレス通信技術についての電力密度（ＰＤ）分布を決定することと、
組み合わされたＲＦ曝露分布を生成するために、前記ＳＡＲ分布と前記ＰＤ分布とを組み合わせることと、
前記組み合わされたＲＦ曝露分布に基づいて、将来のタイムスロットについての少なくとも１つの第１の最大許容電力レベル及び少なくとも１つの第２の最大許容電力レベルを決定することと、
前記少なくとも１つの第１の最大許容電力レベルに基づいて、前記将来のタイムスロットにおける前記第１の送信機についての少なくとも１つの送信電力限界を設定することと、
前記少なくとも１つの第２の最大許容電力レベルに基づいて、前記将来のタイムスロットにおける前記第２の送信機についての少なくとも１つの送信電力限界を設定することと
を行うように構成される、ワイヤレスデバイス。
【請求項２】
前記ＳＡＲ分布は、第１の時間平均化ウィンドウに対応する時間平均化されたＳＡＲ分布を備える、請求項１に記載のワイヤレスデバイス。
【請求項３】
前記第１の時間平均化ウィンドウは、タイムスロットに分割され、前記プロセッサは、
前記タイムスロットについての送信シナリオ及び１つ以上の送信電力レベルに基づいて、前記タイムスロットの各々についてのそれぞれのＳＡＲ分布を決定することと、
前記時間平均化されたＳＡＲ分布を生成するために、前記タイムスロットについての前記ＳＡＲ分布を平均化することと
を行うことによって前記時間平均化されたＳＡＲ分布を決定するように構成される、請求項２に記載のワイヤレスデバイス。
【請求項４】
前記第１の時間平均化ウィンドウの前記タイムスロットのうちの１つは、前記将来のタイムスロットに対応する、請求項３に記載のワイヤレスデバイス。
【請求項５】
前記ＰＤ分布は、第２の時間平均化ウィンドウに対応する時間平均化されたＰＤ分布を備える、請求項２に記載のワイヤレスデバイス。
【請求項６】
前記第１の時間平均化ウィンドウ及び前記第２の時間平均化ウィンドウは、異なる長さを有する、請求項５に記載のワイヤレスデバイス。
【請求項７】
前記第２の時間平均化ウィンドウは、タイムスロットに分割され、前記プロセッサは、
前記タイムスロットについての送信シナリオ及び１つ以上の送信電力レベルに基づいて、前記タイムスロットの各々についてのそれぞれのＰＤ分布を決定することと、
前記時間平均化されたＰＤ分布を生成するために、前記タイムスロットについての前記ＰＤ分布を平均化することと
を行うことによって前記時間平均化されたＰＤ分布を決定するように構成される、請求項５に記載のワイヤレスデバイス。
【請求項８】
前記第２の時間平均化ウィンドウの前記タイムスロットのうちの１つは、前記将来のタイムスロットに対応する、請求項７に記載のワイヤレスデバイス。
【請求項９】
前記時間平均化されたＳＡＲ分布は、ＳＡＲ限界に対して正規化され、前記時間平均化されたＰＤ分布は、ＰＤ限界に対して正規化される、請求項５に記載のワイヤレスデバイス。
【請求項１０】
前記組み合わされたＲＦ曝露分布は、前記将来のタイムスロットにおける送信電力レベルの関数であり、前記プロセッサは、前記組み合わされたＲＦ曝露分布のピーク値が限界値以下になることをもたらす前記送信電力レベルについての電力レベルを決定することによって、前記少なくとも１つの第１の最大許容電力レベル及び前記少なくとも１つの第２の最大許容電力レベルを決定するように構成される、請求項１に記載のワイヤレスデバイス。
【請求項１１】
前記ＳＡＲ分布は、ＳＡＲ限界に対して正規化され、前記ＰＤ分布は、ＰＤ限界に対して正規化され、前記限界値は、１に等しい、請求項１０に記載のワイヤレスデバイス。
【請求項１２】
前記第２の送信機は、複数の送信周波数帯域で前記第２の信号を送信するように構成され、前記複数の送信周波数帯域の各々は、複数の時間平均化ウィンドウのうちのそれぞれ１つに対応し、前記ＰＤ分布は、組み合わされた時間平均化されたＰＤ分布を備え、前記プロセッサは、
前記複数の送信周波数帯域の各々について、前記それぞれの時間平均化ウィンドウに対応する前記送信周波数帯域についての時間平均化されたＰＤ分布を決定することと、
前記組み合わされた時間平均化されたＰＤ分布を取得するために、前記送信周波数帯域についての前記時間平均化されたＰＤ分布を組み合わせることと
を行うことによって、前記組み合わされた時間平均化されたＰＤ分布を決定するように構成される、請求項１に記載のワイヤレスデバイス。
【請求項１３】
前記複数の時間平均化ウィンドウは、異なる長さを有する、請求項１２に記載のワイヤレスデバイス。
【請求項１４】
前記第１の送信機は、１０ＧＨｚを下回る周波数で前記第１の信号を送信するように構成され、前記第２の送信機は、１０ＧＨｚを上回る周波数で前記第２の信号を送信するように構成される、請求項１に記載のワイヤレスデバイス。
【請求項１５】
ワイヤレスデバイスにおいてインプリメントされる方法であって、
第１のワイヤレス通信技術についての比吸収率（ＳＡＲ）分布を決定することと、
第２のワイヤレス通信技術についての電力密度（ＰＤ）分布を決定することと、
組み合わされたＲＦ曝露分布を生成するために、前記ＳＡＲ分布と前記ＰＤ分布とを組み合わせることと、
前記組み合わされたＲＦ曝露分布に基づいて、将来のタイムスロットについての少なくとも１つの第１の最大許容電力レベル及び少なくとも１つの第２の最大許容電力レベルを決定することと、
前記少なくとも１つの第１の最大許容電力レベルに基づいて、前記将来のタイムスロットにおける第１の送信機についての少なくとも１つの送信電力限界を設定することと、
前記少なくとも１つの第２の最大許容電力レベルに基づいて、前記将来のタイムスロットにおける第２の送信機についての少なくとも１つの送信電力限界を設定することと
を備える、方法。
【請求項１６】
前記ＳＡＲ分布は、第１の時間平均化ウィンドウに対応する時間平均化されたＳＡＲ分布を備える、請求項１５に記載の方法。
【請求項１７】
前記第１の時間平均化ウィンドウは、タイムスロットに分割され、前記ＳＡＲ分布を決定することは、
前記タイムスロットについての送信シナリオ及び１つ以上の送信電力レベルに基づいて、前記タイムスロットの各々についてのそれぞれのＳＡＲ分布を決定することと、
前記時間平均化されたＳＡＲ分布を生成するために、前記タイムスロットについての前記ＳＡＲ分布を平均化することと
を備える、請求項１６に記載の方法。
【請求項１８】
前記第１の時間平均化ウィンドウの前記タイムスロットのうちの１つは、前記将来のタイムスロットに対応する、請求項１７に記載の方法。
【請求項１９】
前記ＰＤ分布は、第２の時間平均化ウィンドウに対応する時間平均化されたＰＤ分布を備える、請求項１６に記載の方法。
【請求項２０】
前記第１の時間平均化ウィンドウ及び前記第２の時間平均化ウィンドウは、異なる長さを有する、請求項１９に記載の方法。
【請求項２１】
前記第２の時間平均化ウィンドウは、タイムスロットに分割され、前記ＰＤ分布を決定することは、
前記タイムスロットについての送信シナリオ及び１つ以上の送信電力レベルに基づいて、前記タイムスロットの各々についてのそれぞれのＰＤ分布を決定することと、
前記時間平均化されたＰＤ分布を生成するために、前記タイムスロットについての前記ＰＤ分布を平均化することと
を備える、請求項１９に記載の方法。
【請求項２２】
前記第２の時間平均化ウィンドウの前記タイムスロットのうちの１つは、前記将来のタイムスロットに対応する、請求項２１に記載の方法。
【請求項２３】
前記時間平均化されたＳＡＲ分布は、ＳＡＲ限界に対して正規化され、前記時間平均化されたＰＤ分布は、ＰＤ限界に対して正規化される、請求項１９に記載の方法。
【請求項２４】
前記組み合わされたＲＦ曝露分布は、前記将来のタイムスロットにおける送信電力レベルの関数であり、前記少なくとも第１の１つの最大許容電力レベル及び前記少なくとも１つの第２の最大許容電力レベルを決定することは、前記組み合わされたＲＦ曝露分布のピーク値が限界値以下になることをもたらす前記送信電力レベルについての電力レベルを決定することを備える、請求項１５に記載の方法。
【請求項２５】
前記ＳＡＲ分布は、ＳＡＲ限界に対して正規化され、前記ＰＤ分布は、ＰＤ限界に対して正規化され、前記限界値は、１に等しい、請求項２４に記載の方法。
【請求項２６】
前記第２の送信機は、複数の送信周波数帯域で信号を送信するように構成され、前記複数の送信周波数帯域の各々は、複数の時間平均化ウィンドウのうちのそれぞれ１つに対応し、前記ＰＤ分布は、組み合わされた時間平均化されたＰＤ分布を備え、前記ＰＤ分布を決定することは、
前記複数の送信周波数帯域の各々について、前記それぞれの時間平均化ウィンドウに対応する前記送信周波数帯域についての時間平均化されたＰＤ分布を決定することと、
前記組み合わされた時間平均化されたＰＤ分布を取得するために、前記送信周波数帯域についての前記時間平均化されたＰＤ分布を組み合わせることと
を備える、請求項１５に記載の方法。
【請求項２７】
前記複数の時間平均化ウィンドウは、異なる長さを有する、請求項２６に記載の方法。
【請求項２８】
第１のワイヤレス通信技術についての比吸収率（ＳＡＲ）分布を決定することと、
第２のワイヤレス通信技術についての電力密度（ＰＤ）分布を決定することと、
組み合わされたＲＦ曝露分布を生成するために、前記ＳＡＲ分布と前記ＰＤ分布とを組み合わせることと、
前記組み合わされたＲＦ曝露分布に基づいて、将来のタイムスロットについての少なくとも１つの第１の最大許容電力レベル及び少なくとも１つの第２の最大許容電力レベルを決定することと、
前記少なくとも１つの第１の最大許容電力レベルに基づいて、前記将来のタイムスロットにおける第１の送信機についての少なくとも１つの送信電力限界を設定することと、
前記少なくとも１つの第２の最大許容電力レベルに基づいて、前記将来のタイムスロットにおける第２の送信機についての少なくとも１つの送信電力限界を設定することと
を行うための記憶された命令を備える、コンピュータ可読媒体。
【請求項２９】
ワイヤレスデバイスであって、
送信機と、
前記送信機に結合されたプロセッサと
を備え、前記プロセッサは、
第１のワイヤレス通信技術についての比吸収率（ＳＡＲ）分布を決定することと、
第２のワイヤレス通信技術についての電力密度（ＰＤ）分布を決定することと、
組み合わされたＲＦ曝露分布を生成するために、前記ＳＡＲ分布と前記ＰＤ分布とを組み合わせることと、
前記組み合わされたＲＦ曝露分布に基づいて、将来のタイムスロットについての最大許容時間平均電力レベルを決定することと、ここにおいて、前記将来のタイムスロットは、複数のサブタイムスロットを備える、
前記将来のタイムスロットについての前記最大許容時間平均電力レベルに基づいて、前記複数のサブタイムスロットの各々についての最大許容電力レベルを決定することと、
前記それぞれの最大許容電力レベルに基づいて、前記サブタイムスロットの各々における前記送信機についての送信電力限界を設定することと
を行うように構成される、ワイヤレスデバイス。
【請求項３０】
前記プロセッサは、前記サブタイムスロットのうちの１つより時間的に前の前記サブタイムスロットのうちの１つ以上における前記送信機の以前の送信電力レベルにも基づいて、前記サブタイムスロットのうちの前記１つについての前記最大許容電力レベルを決定するように構成される、請求項２９に記載のワイヤレスデバイス。
【請求項３１】
ワイヤレスデバイスであって、
送信機と、
前記送信機に結合されたプロセッサと
を備え、前記プロセッサは、
第１のワイヤレス通信技術についての比吸収率（ＳＡＲ）分布を決定することと、
第２のワイヤレス通信技術についての電力密度（ＰＤ）分布を決定することと、
組み合わされたＲＦ曝露分布を生成するために、前記ＳＡＲ分布と前記ＰＤ分布とを組み合わせることと、
前記組み合わされたＲＦ曝露分布に基づいて、将来のタイムスロットについてのＰＤ限界を決定することと、ここにおいて、前記将来のタイムスロットは、複数のサブタイムスロットを備える、
前記将来のタイムスロットについての前記ＰＤ限界に基づいて、前記複数のサブタイムスロットの各々についての最大許容電力レベルを決定することと、
前記それぞれの最大許容電力レベルに基づいて、前記サブタイムスロットの各々における前記送信機についての送信電力限界を設定することと
を行うように構成される、ワイヤレスデバイス。
【請求項３２】
前記プロセッサは、
前記ＰＤ限界に基づいて、前記将来のタイムスロットについてのＰＤ割り振りを決定することと、
前記サブタイムスロットのうちの１つに先行する前記サブタイムスロットのうちの１つ以上によって使い切られた前記ＰＤ割り振りの一部分に基づいて、前記サブタイムスロットのうちの前記１つについての前記最大許容電力レベルを決定することと
を行うように構成される、請求項３１に記載のワイヤレスデバイス。
【請求項３３】
前記プロセッサは、
前記サブタイムスロットのうちの前記１つに後続する前記サブタイムスロットのうちの１つ以上についての前記ＰＤ割り振りの一部分を予約することと。
前記ＰＤ割り振りの前記予約された部分にも基づいて、前記サブタイムスロットのうちの前記１つについての前記最大許容電力レベルを決定することと
を行うように構成される、請求項３２に記載のワイヤレスデバイス。
【請求項３４】
ワイヤレスデバイスであって、
送信機と、
前記送信機に結合されたプロセッサと
を備え、前記プロセッサは、
将来のタイムスロットについての最大許容時間平均電力レベルを決定することと、
前記決定された最大許容時間平均電力レベル及び最大許容電力レベルに基づいて、前記将来のタイムスロットについての最大許容送信デューティサイクルを決定することと、
前記最大許容送信デューティサイクルに基づいて、前記将来のタイムスロットにおける前記送信機についての送信デューティサイクル限界を設定することと
を行うように構成される、ワイヤレスデバイス。
【請求項３５】
前記将来のタイムスロットは、約１００ミリ秒の時間持続時間を有する、請求項３４に記載のワイヤレスデバイス。
【請求項３６】
ワイヤレスデバイスであって、
送信機と、
前記送信機に結合されたプロセッサと
を備え、前記プロセッサは、
将来のタイムスロットについての最大許容時間平均電力レベルを決定することと、
前記決定された最大許容時間平均電力レベル及び最大許容デューティサイクルに基づいて、前記将来のタイムスロットについての最大許容ピーク電力レベルを決定することと、
前記最大許容ピーク電力レベルに基づいて、前記将来のタイムスロットにおける前記送信機についてのピーク電力限界を設定することと
を行うように構成される、ワイヤレスデバイス。
【請求項３７】
前記将来のタイムスロットは、約１００ミリ秒の時間持続時間を有する、請求項３６に記載のワイヤレスデバイス。
【発明の詳細な説明】
【関連出願の相互参照】
【０００１】
[0001]本願は、２０１９年７月２日に米国特許商標庁に出願された非仮特許出願第１６／４６０，８９４号、２０１８年７月５日に米国特許商標庁に出願された仮特許出願第６２／６９４，４０５号、及び２０１８年７月１１日に米国特許商標庁に出願された仮特許出願第６２／６９６，６８７号の優先権及び利益を主張し、それらの全内容は、それらの全体が以下に完全に記載されているかのように、及び全ての適用可能な目的のために、参照によって本明細書に組み込まれる。
【技術分野】
【０００２】
[0002]本開示の態様は、一般にワイヤレスデバイスに関し、より詳細には、ワイヤレスデバイスからの無線周波数（ＲＦ）曝露を評価することに関する。
【背景技術】
【０００３】
[0003]現代のワイヤレスデバイス（例えば、セルラ電話）は、一般に、国内及び国際の規制機関によって設定された無線周波数（ＲＦ）曝露限界（RF exposure limits）に従ってＲＦ放射へのユーザの曝露を制限することを要求される。ワイヤレスデバイスがＲＦ曝露限界を遵守する（complies with）ことを保証するために、ワイヤレスデバイスがワイヤレスデバイスからのＲＦ曝露をリアルタイムで評価し、それに応じてワイヤレスデバイスの送信電力を調整して、ＲＦ曝露限界を遵守することを可能にする技術が開発されている。
【発明の概要】
【０００４】
[0004]以下は、１つ以上の実施形態の基本的な理解を提供するために、そのような実施形態の簡略化された概要を提示する。この概要は、全ての企図される実施形態の広範な概観ではなく、全ての実施形態の基幹的又は重要な要素を識別することも、任意又は全ての実施形態の範囲を叙述することも意図されない。その唯一の目的は、後に提示されるより詳細な説明への前置きとして、簡略化された形式で１つ以上の実施形態のいくつかの概念を提示することである。
【０００５】
[0005]第１の態様は、ワイヤレスデバイスに関する。ワイヤレスデバイスは、第１のワイヤレス通信技術に従って第１の信号を送信するように構成された第１の送信機と、第２のワイヤレス通信技術に従って第２の信号を送信するように構成された第２の送信機と、第１及び第２の送信機に結合されたプロセッサとを含む。プロセッサは、第１のワイヤレス通信技術についての比吸収率（ＳＡＲ：specific absorption rate）分布を決定することと、第２のワイヤレス通信技術についての電力密度（ＰＤ：power density）分布を決定することと、組み合わされたＲＦ曝露分布を生成するために、ＳＡＲ分布とＰＤ分布とを組み合わせることと、組み合わされたＲＦ曝露分布に基づいて、将来のタイムスロットについての少なくとも１つの第１の最大許容電力レベル及び少なくとも１つの第２の最大許容電力レベルを決定することと、少なくとも１つの第１の最大許容電力レベルに基づいて、将来のタイムスロットにおける第１の送信機についての少なくとも１つの送信電力限界を設定することと、少なくとも１つの第２の最大許容電力レベルに基づいて、将来のタイムスロットにおける第２の送信機についての少なくとも１つの送信電力限界を設定することとを行うように構成される。
【０００６】
[0006]第２の態様は、ワイヤレスデバイスにおいてインプリメントされる方法に関する。方法は、第１のワイヤレス通信技術についての比吸収率（ＳＡＲ）分布を決定することと、第２のワイヤレス通信技術についての電力密度（ＰＤ）分布を決定することと、組み合わされたＲＦ曝露分布を生成するために、ＳＡＲ分布とＰＤ分布とを組み合わせることとを含む。方法はまた、組み合わされたＲＦ曝露分布に基づいて、将来のタイムスロットについての少なくとも１つの第１の最大許容電力レベル及び少なくとも１つの第２の最大許容電力レベルを決定することと、少なくとも１つの第１の最大許容電力レベルに基づいて、将来のタイムスロットにおける第１の送信機についての少なくとも１つの送信電力限界を設定することと、少なくとも１つの第２の最大許容電力レベルに基づいて、将来のタイムスロットにおける第２の送信機についての少なくとも１つの送信電力限界を設定することとを含む。
【０００７】
[0007]第３の態様は、コンピュータ可読媒体に関する。コンピュータ可読媒体は、第１のワイヤレス通信技術についての比吸収率（ＳＡＲ）分布を決定することと、第２のワイヤレス通信技術についての電力密度（ＰＤ）分布を決定することと、組み合わされたＲＦ曝露分布を生成するために、ＳＡＲ分布とＰＤ分布とを組み合わせることと行うための記憶された命令を含む。コンピュータ可読媒体はまた、組み合わされたＲＦ曝露分布に基づいて、将来のタイムスロットについての少なくとも１つの第１の最大許容電力レベル及び少なくとも１つの第２の最大許容電力レベルを決定することと、少なくとも１つの第１の最大許容電力レベルに基づいて、将来のタイムスロットにおける第１の送信機についての少なくとも１つの送信電力限界を設定することと、少なくとも１つの第２の最大許容電力レベルに基づいて、将来のタイムスロットにおける第２の送信機についての少なくとも１つの送信電力限界を設定することとを行うための記憶された命令を含む。
【０００８】
[0008]第４の態様は、ワイヤレスデバイスに関する。ワイヤレスデバイスは、送信機と、送信機に結合されたプロセッサとを含む。プロセッサは、第１のワイヤレス通信技術についての比吸収率（ＳＡＲ）分布を決定することと、第２のワイヤレス通信技術についての電力密度（ＰＤ）分布を決定することと、組み合わされたＲＦ曝露分布を生成するために、ＳＡＲ分布とＰＤ分布とを組み合わせることと、組み合わされたＲＦ曝露分布に基づいて、将来のタイムスロットについての最大許容時間平均電力レベルを決定することとを行うように構成され、将来のタイムスロットは、複数のサブタイムスロットを備える。プロセッサはまた、将来のタイムスロットについての最大許容時間平均電力レベルに基づいて、複数のサブタイムスロットの各々についての最大許容電力レベルを決定することと、それぞれの最大許容電力レベルに基づいて、サブタイムスロットの各々における送信機についての送信電力限界を設定することとを行うように構成される。
【０００９】
[0009]第５の態様は、ワイヤレスデバイスに関する。ワイヤレスデバイスは、送信機と、送信機に結合されたプロセッサとを含む。プロセッサは、第１のワイヤレス通信技術についての比吸収率（ＳＡＲ）分布を決定することと、第２のワイヤレス通信技術についての電力密度（ＰＤ）分布を決定することと、組み合わされたＲＦ曝露分布を生成するために、ＳＡＲ分布とＰＤ分布とを組み合わせることと、組み合わされたＲＦ曝露分布に基づいて、将来のタイムスロットについてのＰＤ限界を決定することとを行うように構成され、将来のタイムスロットは、複数のサブタイムスロットを備える。プロセッサはまた、将来のタイムスロットについてのＰＤ限界に基づいて、複数のサブタイムスロットの各々についての最大許容電力レベルを決定することと、それぞれの最大許容電力レベルに基づいて、サブタイムスロットの各々における送信機についての送信電力限界を設定することとを行うように構成される。
【００１０】
[0010]第６の態様は、ワイヤレスデバイスに関する。ワイヤレスデバイスは、送信機と、送信機に結合されたプロセッサとを含む。プロセッサは、将来のタイムスロットについての最大許容時間平均電力レベルを決定することと、決定された最大許容時間平均電力レベル及び最大許容電力レベルに基づいて、将来のタイムスロットについての最大許容送信デューティサイクルを決定することと、最大許容送信デューティサイクルに基づいて、将来のタイムスロットにおける送信機についての送信デューティサイクル限界を設定することとを行うように構成される。
【００１１】
[0011]第７の態様は、ワイヤレスデバイスに関する。ワイヤレスデバイスは、送信機と、送信機に結合されたプロセッサとを含む。プロセッサは、将来のタイムスロットについての最大許容時間平均電力レベルを決定することと、決定された最大許容時間平均電力レベル及び最大許容デューティサイクルに基づいて、将来のタイムスロットについての最大許容ピーク電力レベルを決定することと、最大許容ピーク電力レベルに基づいて、将来のタイムスロットにおける送信機についてのピーク電力限界を設定することとを行うように構成される。
【００１２】
[0012]前述及び関連する目的を達成するために、１つ以上の実施形態は、以下において十分に説明され、且つ特許請求の範囲で特に指摘される特徴を含む。以下の説明及び付属の図面は、１つ以上の実施形態のある特定の例示的な態様を詳細に記載する。これらの態様は、しかしながら、様々な実施形態の原理が用いられ得る様々な方法のうちのほんの一部を示しているに過ぎず、説明される実施形態は、全てのそのような態様及びそれらの同等物を含むことを意図される。
【図面の簡単な説明】
【００１３】
【図１】[0013]本開示の態様がインプリメントされ得るワイヤレスデバイスの例を示す。
【図２】[0014]本開示のある特定の態様に係る、正規化（normalized）電力密度（ＰＤ）分布と組み合わされた正規化比吸収率（ＳＡＲ）分布の例を示す。
【図３】[0015]本開示のある特定の態様に係る、複数のワイヤレス通信技術を使用する同時送信のためのＲＦ曝露限界を遵守する送信電力レベルを決定するための例証的な方法を例示するフローチャートである。
【図４】[0016]本開示のある特定の態様に係る、ＰＤ限界を遵守する送信電力レベルを決定するための例証的な方法を例示するフローチャートである。
【図５】[0017]本開示のある特定の態様に係る、時間平均化されたＳＡＲ分布の例を示す。
【図６】[0018]本開示のある特定の態様に係る、時間平均ＳＡＲ限界を遵守して将来のタイムスロットについての送信電力レベルを決定するための例証的な方法を例示するフローチャートである。
【図７】[0019]本開示のある特定の態様に係る、時間平均化されたＰＤ分布の例を示す。
【図８】[0020]本開示のある特定の態様に係る、時間平均ＰＤ限界を遵守する送信電力レベルを決定するための例証的な方法を例示するフローチャートである。
【図９】[0021]本開示のある特定の態様に係る、時間平均化されたＰＤ分布と組み合わされた時間平均化されたＳＡＲ分布の例を示す。
【図１０】[0022]本開示のある特定の態様に係る、時間平均ＲＦ曝露限界を遵守する送信電力レベルを決定するための例証的な方法を例示するフローチャートである。
【図１１】[0023]本開示のある特定の態様に係る、時間平均化されたＰＤ分布が異なる周波数帯域についての複数の時間平均化ウィンドウを使用して決定される例を示す。
【図１２】[0024]本開示のある特定の態様に係る、時間平均化されたＰＤ分布が異なる周波数帯域における同時送信のために決定される例を示す。
【図１３】[0025]本開示のある特定の態様に係る、ＰＤ分布と組み合わされた時間平均化されたＳＡＲ分布の例を示す。
【図１４】[0026]本開示のある特定の態様に係る、ワイヤレスデバイスにおいてインプリメントされる方法の例を示すフローチャートである。
【図１５】[0027]本開示のある特定の態様に係る、最大許容電力レベルが異なる技術に対して異なるレートで決定される例を示す。
【図１６】[0028]本開示のある特定の態様に係る、内側ループについての経時的なＰＤの例を示す。
【図１７】[0029]本開示のある特定の態様に係る、ＰＤ割り振りの使用される部分と、将来の送信のために予約されたＰＤ割り振りの一部分との例を示す。
【図１８】[0030]本開示のある特定の態様に係る、許容されたＰＤを最大許容電力レベルに変換するための例証的な表を示す。
【詳細な説明】
【００１４】
[0031]添付された図面に関連して以下に記載される詳細な説明は、様々な構成の説明として意図され、本明細書で説明される概念が実施され得る唯一の構成を表すことを意図されてない。詳細な説明は、様々な概念の完全な理解を提供することを目的として特定の詳細を含む。しかしながら、これらの概念がこれらの特定の詳細なしに実施され得ることは当業者にとって明らかであろう。いくつかの事例では、よく知られた構造及びコンポーネントは、そのような概念を曖昧にすることを避けるためにブロック図形式で示される。
【００１５】
[0032]図１は、本明細書で説明される本開示の態様がインプリメントされ得るワイヤレスデバイス１００の例を示す。ワイヤレスデバイス１００は、モバイルワイヤレスデバイス（例えば、セルラ電話）、ラップトップ、ワイヤレスアクセスポイント、又は何らかの他のワイヤレスデバイスを備え得る。
【００１６】
[0033]ワイヤレスデバイス１００は、プロセッサ１１０と、プロセッサ１１０に結合されたメモリ１１５とを含む。メモリ１１５は、プロセッサ１１０によって実行されると、プロセッサ１１０に本明細書で説明される動作のうちの１つ以上を実行させる命令を記憶し得る。プロセッサ１１０は、汎用プロセッサ、デジタルシグナルプロセッサ（ＤＳＰ）、ベースバンドモデム、特定用途向け集積回路（ＡＳＩＣ）、フィールドプログラマブルゲートアレイ（ＦＰＧＡ）若しくは他のプログラマブルロジックデバイス（ＰＬＤ）、ディスクリートゲートロジック、ディスクリートハードウェアコンポーネント、又は本明細書で説明される動作のうちの１つ以上を実行するように構成されたそれらの任意の組み合わせを用いてインプリメントされ得る。
【００１７】
[0034]ワイヤレスデバイス１００はまた、第１の送信機１２０と、第１の送信機１２０に結合された第１の複数のアンテナ１２２−１〜１２２−Ｎと、第１の送信機１２０とプロセッサ１１０との間に結合された第１のバス１４０とを含む。ある特定の態様では、第１の送信機１２０は、第３世代（３Ｇ）技術（例えば、ＣＤＭＡ）、第４世代（４Ｇ）技術（ロングタームエボリューション（ＬＴＥ（登録商標））としても知られる）、第５世代（５Ｇ）技術、１つ以上のＩＥＥＥ８０２．１１プロトコルに基づく１つ以上の技術（例えば、ＩＥＥＥ８０２．１１ａｃ、ＩＥＥＥ８０２．１１ｎ、ＩＥＥＥ８０２．１１ａｄ、ＩＥＥＥ８０２．１１ａｘ、ＩＥＥＥ８０２．１１ａｙ、等）、及び／又は１つ以上の他の技術を含むがそれらに限定されない１つ以上のワイヤレス通信技術を使用して、第１の複数のアンテナ１２２−１〜１２２−Ｎのうちの１つ以上を介して信号を送信するように構成される。いくつか態様では、第１の送信機１２０は、ワイヤレスデバイス１００と別のワイヤレスデバイス（図示せず）との間の無線リンクの容量を増大させるために、多入力多出力（ＭＩＭＯ）送信を使用して複数のアンテナ１２２−１〜１２２−Ｎを介して信号を送信するように構成され得る。いくつか態様では、第１の送信機１２０は、別のワイヤレスデバイス（図示せず）に向かって送信を方向付けるためにビームフォーミングを使用して複数のアンテナ１２２−１〜１２２−Ｎを介して信号を送信するように構成され得る。これらの態様では、送信は、異なるアンテナ１２２−１〜１２２−Ｎについての送信信号の相対位相及び／又は振幅を調整することによって電気的にステアリングされ得る。
【００１８】
[0035]プロセッサ１１０は、第１のバス１４０を介して第１の送信機１２０とインターフェースする。第１のバス１４０は、プロセッサ１１０と第１の送信機１２０との間に１つ以上の信号線を含み得る。データを送信するために、プロセッサ１１０は、データを１つ以上の信号（例えば、ベースバンド信号又は中間周波数信号）に処理し得る。プロセッサ１１０によって実行される処理は、データをコーディングすることと、（例えば、ＢＰＳＫ、ＱＰＳＫ、ＱＡＭ、等を含む様々な異なる変調スキームのうちのいずれか１つを使用して）コーディングされたデータを変調することとを含み得る。プロセッサ１１０は、第１のバス１４０を介して第１の送信機１２０に１つ以上の信号を出力し得る。第１の送信機１２０は次いで、プロセッサ１１０からの１つ以上の信号を、アンテナ１２２−１〜１２２−Ｎのうちの１つ以上を介した送信のための１つ以上の無線周波数信号に処理し得る。第１の送信機１２０によって実行される処理は、周波数アップコンバージョン、電力増幅、等を含み得る。
【００１９】
[0036]ある特定の態様では、プロセッサ１１０は、アンテナ１２２−１〜１２２−Ｎのうちの１つ以上についての送信電力を調整し得る。例えば、第１の送信機１２０は、複数の増幅器（図示せず）を含み得、ここで、増幅器の各々は、アンテナのうちのそれぞれ１つに結合される。各増幅器について、プロセッサ１１０は、増幅器の利得を制御するために、第１のバス１４０を介して増幅器にそれぞれの制御信号を出力し得る。この例では、プロセッサ１１０は、それに応じてそれぞれの増幅器の利得を調整することによって、アンテナについての送信電力を調整し得る。別の例では、プロセッサ１１０は、１つ以上の信号を第１の送信機１２０に出力し得、ここで、１つ以上の信号の各々は、アンテナ１２２−１〜１２２−Ｎのうちのそれぞれ１つに対応する。この例では、プロセッサ１１０は、それに応じてそれぞれの信号の振幅を調整することによって、アンテナについての送信電力を調整し得る。本開示は、上記の例に限定されず、プロセッサ１１０は、送信電力を調整するために他の技法を用い得ることが理解されるべきである。
【００２０】
[0037]ある特定の態様では、プロセッサ１１０は、開電力制御ループ及び／又は閉電力制御ループを使用してアンテナ１２２−１〜１２２−Ｎのうちの１つ以上についての送信電力を調整し得る。開電力制御ループの例では、ワイヤレスデバイス１００は、受信機（図示せず）を介して別のワイヤレスデバイス（図示せず）からパイロット信号を受信し得る。この例では、プロセッサ１１０は、受信されたパイロット信号に基づいて、ワイヤレスデバイス１００と他のワイヤレスデバイスとの間のチャネル状態を推定し、推定されたチャネル状態に基づいて、アンテナ１２２−１〜１２２−Ｎのうちの１つ以上についての送信電力を調整する。閉電力制御ループの例では、ワイヤレスデバイス１００は、受信機（図示せず）を介して他のワイヤレスデバイスからフィードバック信号を受信し、それにおいて、フィードバック信号は、ワイヤレスデバイス１００と他のワイヤレスデバイスとの間のチャネル状態を示す。この例では、プロセッサ１１０は、示されたチャネル状態に基づいて、アンテナ１２２−１〜１２２−Ｎのうちの１つ以上についての送信電力を調整する。
【００２１】
[0038]プロセッサ１１０はまた、データレートに基づいて、アンテナ１２２−１〜１２２−Ｎのうちの１つ以上についての送信電力を調整し得る。例えば、プロセッサ１１０は、短いデータバーストを送信するために送信電力を増大（ブースト）させ得る。
【００２２】
[0039]更に、プロセッサ１１０は、以下で更に議論されるように、ワイヤレスデバイス１００からのＲＦ曝露を、規制機関（例えば、ＦＣＣ）によって設定されたＲＦ曝露限界内に保つために、アンテナ１２２−１〜１２２−Ｎのうちの１つ以上についての送信電力を調整し得る。このケースでは、送信電力は、ＲＦ曝露限界によって制約される。
【００２３】
[0040]ワイヤレスデバイス１００はまた、第２の送信機１３０と、第２の送信機１３０に結合された第２の複数のアンテナ１３２−１〜１３２−Ｍと、第２の送信機１３０とプロセッサ１１０との間に結合された第２のバス１５０とを含む。ある特定の態様では、第２の送信機１３０は、３Ｇ技術、４Ｇ技術、５Ｇ技術、１つ以上のＩＥＥＥ８０２．１１プロトコル（例えば、ＩＥＥＥ８０２．１１ａｃ、ＩＥＥＥ８０２．１１ｎ、ＩＥＥＥ８０２．１１ａｄ、ＩＥＥＥ８０２．１１ａｘ、ＩＥＥＥ８０２．１１ａｙ、等）に基づく１つ以上の技術、及び／又は１つ以上の他の技術を含むがそれらに限定されない１つ以上のワイヤレス通信技術を使用して、第２の複数のアンテナ１３２−１〜１３２−Ｍのうちの１つ以上を介して信号を送信するように構成される。第２の送信機１３０は、ＭＩＭＯ送信、ビームフォーミング、及び／又は他の方法を使用して、複数のアンテナ１３２−１〜１３２−Ｍを介して信号を送信し得る。ある特定の態様では、第１の送信機１２０及び第２の送信機１３０は、以下で更に議論されるように、異なるワイヤレス通信技術を使用して信号を同時に送信し得る。
【００２４】
[0041]プロセッサ１１０は、プロセッサ１１０と第２の送信機１３０との間に１つ以上の信号線を含み得る第２のバス１５０を介して第２の送信機１３０とインターフェースする。データを送信するために、プロセッサ１１０は、データを１つ以上の信号（例えば、ベースバンド信号又は中間周波数信号）に処理し得る。プロセッサ１１０によって実行される処理は、データをコーディングすることと、（例えば、ＢＰＳＫ、ＱＰＳＫ、ＱＡＭ、等を含む様々な異なる変調スキームのうちのいずれか１つを使用して）コーディングされたデータを変調することとを含み得る。プロセッサ１１０は、第２のバス１５０を介して第２の送信機１３０に１つ以上の信号を出力し得る。第２の送信機１３０は次いで、プロセッサ１１０からの１つ以上の信号を、アンテナ１３２−１〜１３２−Ｍのうちの１つ以上を介した送信のための１つ以上の無線周波数信号に処理し得る。第２の送信機１３０によって実行される処理は、周波数アップコンバージョン、電力増幅、等を含み得る。
【００２５】
[0042]プロセッサ１１０は、アンテナ１３２−１〜１３２−Ｍのうちの１つ以上についての送信電力を調整し得る。例えば、第２の送信機１３０は、複数の増幅器（図示せず）を含み得、ここで、増幅器の各々は、アンテナ１３２−１〜１３２−Ｍのうちのそれぞれ１つに結合される。各増幅器について、プロセッサ１１０は、増幅器の利得を制御するために、第２のバス１５０を介して増幅器にそれぞれの制御信号を出力し得る。この例では、プロセッサ１１０は、それに応じてそれぞれの増幅器の利得を調整することによって、アンテナについての送信電力を調整し得る。別の例では、プロセッサ１１０は、１つ以上の信号を第２の送信機１３０に出力し得、ここで、１つ以上の信号の各々は、アンテナ１３２−１〜１３２−Ｍのうちのそれぞれ１つに対応する。この例では、プロセッサ１１０は、それに応じてそれぞれの信号の振幅を調整することによって、アンテナについての送信電力を調整し得る。本開示は、上記の例に限定されず、プロセッサ１１０は、送信電力を調整するために他の技法を用い得ることが理解されるべきである。
【００２６】
[0043]プロセッサ１１０は、上述されたように、開電力制御ループ及び／又は閉電力制御ループを使用してアンテナ１３２−１〜１３２−Ｍのうちの１つ以上についての送信電力を調整し得る。プロセッサ１１０はまた、以下で更に議論されるように、ワイヤレスデバイス１００からのＲＦ曝露を規制機関によって設定されたＲＦ曝露限界内に保つために、アンテナ１３２−１〜１３２−Ｍのうちの１つ以上についての送信電力を調整し得る。
【００２７】
[0044]ワイヤレスデバイス１００は、図１に示された第１及び第２の送信機１２０及び１３０に加えて、１つ以上の追加の送信機を含み得ることが理解されるべきである。第１及び第２の送信機１２０及び１３０は、図１に示される例ではアンテナの別個のセットに結合されるが、第１及び第２の送信機１２０及び１３０は、１つ以上のアンテナを共有し得ることが理解されるべきである。また、いくつかのインプリメンテーションでは、第１の送信機１２０は、１つのアンテナ上でのみ送信し得、及び／又は第２の送信機１３０は、１つのアンテナ上でのみ送信し得る。
【００２８】
[0045]現代のワイヤレスデバイス（例えば、セルラ電話）は、一般に、国内及び国際の規制機関によって設定された曝露限界に従って無線周波数（ＲＦ）放射へのユーザの曝露を制限することを要求される。ＲＦ曝露は、比吸収率（ＳＡＲ）の単位で表され得、それは、単位質量当たりのヒト組織によるエネルギー吸収を測定し、１キログラム当たりのワット数（Ｗ／ｋｇ）の単位を有し得る。ＲＦ曝露はまた、電力密度（ＰＤ）の単位で表され得、それは、単位面積当たりのエネルギー吸収を測定し、ｍＷ／ｃｍ2の単位を有し得る。
【００２９】
[0046]ＳＡＲは、３Ｇ（例えば、ＣＤＭＡ）、４Ｇ、ＩＥＥＥ８０２．１１ａｃ、等などのワイヤレス通信技術をカバーする１０ＧＨｚ未満の送信周波数に対するＲＦ曝露を評価するために使用され得る。ＰＤは、ＩＥＥＥ８０２．１１ａｄ、５Ｇ、等などのワイヤレス通信技術をカバーする１０ＧＨｚよりも高い送信周波数に対するＲＦ曝露を評価するために使用され得る。このことから、異なるメトリックが、異なるワイヤレス通信技術に対するＲＦ曝露を評価するために使用され得る。
【００３０】
[0047]ワイヤレスデバイス１００は、複数のワイヤレス通信技術を使用して信号を同時に送信し得る。例えば、ワイヤレスデバイス１００は、１０ＧＨｚ未満で動作する第１のワイヤレス通信技術（例えば、３Ｇ、４Ｇ、等）と、１０ＧＨｚ超で動作する第２のワイヤレス通信技術（例えば、５Ｇ、ＩＥＥＥ８０２．１１ａｄ）とを使用して信号を同時に送信し得る。ワイヤレスデバイス１００は、第１及び第２の技術を使用して信号を同時に送信するので、デバイスのユーザは、両方の技術を使用する送信からのＲＦ放射に曝露される。それ故に、ワイヤレスデバイス１００が複数のワイヤレス通信技術を使用して信号を同時に送信するケースのために、ＲＦ曝露遵守（RF exposure compliance）を決定するための技法が必要とされる。
【００３１】
[0048]本開示の態様は、以下で更に議論されるように、ワイヤレスデバイス１００が複数のワイヤレス通信技術を使用して信号を同時に送信するケースのために、ワイヤレスデバイス１００がＲＦ曝露をリアルタイムで評価することを可能にする。
【００３２】
[0049]ある特定の態様では、ワイヤレスデバイス１００は、ＲＦ曝露がＳＡＲの単位で測定される第１のワイヤレス通信技術（例えば、３Ｇ、４Ｇ、ＩＥＥＥ８０２．１１ａｃ、等）と、ＲＦ曝露がＰＤの単位で測定される第２のワイヤレス通信技術（例えば、５Ｇ、ＩＥＥＥ８０２．１１ａｄ、等）とを使用して信号を同時に送信し得る。これらの態様では、第１の送信機１２０は、第１のワイヤレス通信技術に従って第１の信号を送信し得、第２の送信機１３０は、第２のワイヤレス通信技術に従って第２の信号を送信し得る。ワイヤレスデバイス１００が第１及び第２の技術をそれぞれ使用して第１及び第２の信号を同時に送信するとき、プロセッサ１１０は、以下で更に議論されるように、ＲＦ曝露限界の遵守を保証するために、第１及び第２の技術からの組み合わされたＲＦ曝露を評価し得る。
【００３３】
[0050]第１の技術（例えば、３Ｇ、４Ｇ、ＩＥＥＥ８０２．１１ａｃ、等）を使用する送信からのＲＦ曝露を評価するために、ワイヤレスデバイス１００は、メモリ１１５中に記憶された第１の技術についての複数のＳＡＲ分布を含み得る。ＳＡＲ分布の各々は、第１の技術についての、ワイヤレスデバイス１００によってサポートされる複数の送信シナリオのうちのそれぞれ１つに対応し得る。送信シナリオは、以下で更に議論されるように、アンテナ１２２−１〜１２２−Ｎ、周波数帯域、チャネル、及び／又は身体位置の様々な組み合わせに対応し得る。
【００３４】
[0051]各送信シナリオについてのＳＡＲ分布（ＳＡＲマップとも呼ばれる）は、人体のモデルを使用してテスト研究室において実行される測定（例えば、Ｅフィールド測定）に基づいて生成され得る。ＳＡＲ分布が生成された後、ＳＡＲ分布は、以下で更に議論されるように、メモリ１１５中に記憶されて、プロセッサ１１０がＲＦ曝露をリアルタイムで評価することを可能にする。各ＳＡＲ分布は、ＳＡＲ値のセットを含み、ここで、各ＳＡＲ値は、（例えば、人体のモデル上の）異なるロケーションに対応し得る。各ＳＡＲ値は、それぞれのロケーションにおける１ｇ又は１０ｇの質量にわたって平均化されたＳＡＲ値を備え得る。
【００３５】
[0052]各ＳＡＲ分布におけるＳＡＲ値は、特定の送信電力レベル（例えば、ＳＡＲ値がテスト研究室において測定された送信電力レベル）に対応する。ＳＡＲは送信電力レベルでスケーリングするので、プロセッサ１１０は、ＳＡＲ分布における各ＳＡＲ値に以下の送信電力スケーラを乗算することによって、任意の送信電力レベルについてのＳＡＲ分布をスケーリングし得る：
【数１】
2021529469.tif 000003
ここで、Ｔｘcは、それぞれの送信シナリオについての現在の送信電力レベルであり、ＴｘSARは、記憶されたＳＡＲ分布におけるＳＡＲ値に対応する送信電力レベル（例えば、ＳＡＲ値がテスト研究室において測定された送信電力レベル）である。
【００３６】
[0053]上述されたように、ワイヤレスデバイス１００は、第１の技術についての複数の送信シナリオをサポートし得る。ある特定の態様では、送信シナリオは、パラメータのセットによって指定され得る。パラメータのセットは、以下のうちの１つ以上を含み得る：送信のために使用される１つ以上のアンテナ（即ち、アクティブアンテナ）を示すアンテナパラメータ、送信のために使用される１つ以上の周波数帯域（即ち、アクティブ周波数帯域）を示す周波数帯域パラメータ、送信のために使用される１つ以上のチャネル（即ち、アクティブチャネル）を示すチャネルパラメータ、ユーザの身体ロケーションに対するワイヤレスデバイス１００のロケーション（頭部、胴体、身体から離れていること、等）を示す身体位置パラメータ、及び／又は他のパラメータ。ワイヤレスデバイス１００が多数の送信シナリオをサポートするケースでは、テスト環境（例えば、テスト研究室）において各送信シナリオについて測定を実行することは、非常に時間が掛かり、高価であり得る。テスト時間を低減するために、測定が、送信シナリオのサブセットについて実行されて、送信シナリオのサブセットについてのＳＡＲ分布が生成され得る。この例では、残りの送信シナリオの各々についてのＳＡＲ分布は、以下で更に議論されるように、送信シナリオのサブセットについてのＳＡＲ分布のうちの２つ以上を組み合わせることによって生成され得る。
【００３７】
[0054]例えば、ＳＡＲ測定が、アンテナ１２２−１〜１２２−Ｎのうちの各１つについて実行されて、アンテナ１２２−１〜１２２−Ｎのうちの各１つについてのＳＡＲ分布が生成され得る。この例では、アンテナ１２２−１〜１２２−Ｎのうちの２つ以上がアクティブである送信シナリオについてのＳＡＲ分布は、２つ以上のアクティブアンテナについてのＳＡＲ分布を組み合わせることによって生成され得る。
【００３８】
[0055]別の例では、ＳＡＲ測定が、複数の周波数帯域のうちの各１つについて実行されて、複数の周波数帯域のうちの各１つについてのＳＡＲ分布が生成され得る。この例では、２つ以上の周波数帯域がアクティブである送信シナリオについてのＳＡＲ分布は、２つ以上のアクティブ周波数帯域についてのＳＡＲ分布を組み合わせることによって生成され得る。
【００３９】
[0056]ある特定の態様では、ＳＡＲ分布は、ＳＡＲ分布における各ＳＡＲ値をＳＡＲ限界で除算することによって、ＳＡＲ限界に対して正規化され得る。このケースでは、正規化ＳＡＲ値は、正規化ＳＡＲ値が１より大きいときにＳＡＲ限界を超え、正規化ＳＡＲ値が１より小さいときにＳＡＲ限界を下回る。これらの態様では、メモリ１１５中に記憶されたＳＡＲ分布の各々は、ＳＡＲ限界に対して正規化され得る。
【００４０】
[0057]ある特定の態様では、送信シナリオについての正規化ＳＡＲ分布は、２つ以上の正規化ＳＡＲ分布を組み合わせることによって生成され得る。例えば、２つ以上のアンテナがアクティブである送信シナリオについての正規化ＳＡＲ分布は、２つ以上のアクティブアンテナについての正規化ＳＡＲ分布を組み合わせることによって生成され得る。異なる送信電力レベルがアクティブアンテナのために使用されるケースでは、各アクティブアンテナについての正規化ＳＡＲ分布は、アクティブアンテナについての正規化ＳＡＲ分布を組み合わせる前に、それぞれの送信電力レベルによってスケーリングされ得る。複数のアクティブアンテナからの同時送信のための正規化ＳＡＲ分布は、以下によって与えられ得る：
【数２】
2021529469.tif 000004
ここで、ＳＡＲlimは、ＳＡＲ限界であり、ＳＡＲnorm_combinedは、アクティブアンテナからの同時送信のための組み合わされた正規化ＳＡＲ分布であり、ｉは、アクティブアンテナについてのインデックスであり、ＳＡＲiは、ｉ番目のアクティブアンテナについてのＳＡＲ分布であり、Ｔｘiは、ｉ番目のアクティブアンテナについての送信電力レベルであり、ＴｘSARiは、ｉ番目のアクティブアンテナについてのＳＡＲ分布についての送信電力レベルであり、Ｋは、アクティブアンテナの数である。方程式（２）は、以下のように書き換えられ得る：
【数３】
2021529469.tif 000005
ここで、ＳＡＲnorm_iは、ｉ番目のアクティブアンテナについての正規化ＳＡＲ分布である。同じ送信周波数で複数のアクティブアンテナを使用する同時送信（例えば、多入力多出力（ＭＩＭＯ））のケースでは、組み合わされた正規化ＳＡＲ分布は、以下によって与えられるように、個々の正規化ＳＡＲ分布の平方根を合計し、合計の平方を計算することによって取得される：
【数４】
2021529469.tif 000006
【００４１】
[0058]別の例では、異なる周波数帯域についての正規化ＳＡＲ分布が、メモリ１１５中に記憶され得る。この例では、２つ以上の周波数帯域がアクティブである送信シナリオについての正規化ＳＡＲ分布は、２つ以上のアクティブ周波数帯域についての正規化ＳＡＲ分布を組み合わせることによって生成され得る。送信電力レベルがアクティブ周波数帯域について異なるケースでは、アクティブ周波数帯域の各々についての正規化ＳＡＲ分布は、アクティブ周波数帯域についての正規化ＳＡＲ分布を組み合わせる前に、それぞれの送信電力レベルによってスケーリングされ得る。この例では、組み合わされたＳＡＲ分布はまた、方程式（３ａ）を使用して計算され得、それにおいて、ｉは、アクティブ周波数帯域についてのインデックスであり、ＳＡＲnorm_iは、ｉ番目のアクティブ周波数帯域についての正規化ＳＡＲ分布であり、Ｔｘiは、ｉ番目のアクティブ周波数帯域についての送信電力レベルであり、ＴｘSARiは、ｉ番目のアクティブ周波数帯域についての正規化ＳＡＲ分布についての送信電力レベルである。
【００４２】
[0059]第２の技術（例えば、５Ｇ、ＩＥＥＥ８０２．１１ａｄ、等）を使用する送信からのＲＦ曝露を評価するために、ワイヤレスデバイス１００は、メモリ１１５中に記憶された第２の技術についての複数のＰＤ分布を含み得る。ＰＤ分布の各々は、第２の技術についての、ワイヤレスデバイス１００によってサポートされる複数の送信シナリオのうちのそれぞれ１つに対応し得る。送信シナリオは、以下で更に議論されるように、アンテナ１３２−１〜１３２−Ｍ、周波数帯域、チャネル、及び／又は身体位置の様々な組み合わせに対応し得る。
【００４３】
[0060]各送信シナリオについてのＰＤ分布（ＰＤマップとも呼ばれる）は、人体のモデルを使用してテスト研究室において実行される測定（例えば、Ｅフィールド測定）に基づいて生成され得る。ＰＤ分布が生成された後、ＰＤ分布は、以下で更に議論されるように、メモリ１１５中に記憶されて、プロセッサ１１０がＲＦ曝露をリアルタイムで評価することを可能にする。各ＰＤ分布は、ＰＤ値のセットを含み、ここで、各ＰＤ値は、（例えば、人体のモデル上の）異なるロケーションに対応し得る。
【００４４】
[0061]各ＰＤ分布におけるＰＤ値は、特定の送信電力レベル（例えば、ＰＤ値がテスト研究室において測定された送信電力レベル）に対応する。ＰＤは送信電力レベルでスケーリングするので、プロセッサ１１０は、ＰＤ分布における各ＰＤ値に以下の送信電力スケーラを乗算することによって、任意の送信電力レベルについてのＰＤ分布をスケーリングし得る。
【数５】
2021529469.tif 000007
ここで、Ｔｘcは、それぞれの送信シナリオについての現在の送信電力レベルであり、ＴｘPDは、ＰＤ分布におけるＰＤ値に対応する送信電力レベル（例えば、ＰＤ値がテスト研究室において測定された送信電力レベル）である。
【００４５】
[0062]上述されたように、ワイヤレスデバイス１００は、第２の技術についての複数の送信シナリオをサポートし得る。ある特定の態様では、送信シナリオは、パラメータのセットによって指定され得る。パラメータのセットは、以下のうちの１つ以上を含み得る：送信のために使用される１つ以上のアンテナ（即ち、アクティブアンテナ）を示すアンテナパラメータ、送信のために使用される１つ以上の周波数帯域（即ち、アクティブ周波数帯域）を示す周波数帯域パラメータ、送信のために使用される１つ以上のチャネル（即ち、アクティブチャネル）を示すチャネルパラメータ、ユーザの身体ロケーションに対するワイヤレスデバイス１００のロケーション（頭部、胴体、身体から離れていること、等）を示す身体位置パラメータ、及び／又は他のパラメータ。ワイヤレスデバイス１００が多数の送信シナリオをサポートするケースでは、テスト環境（例えば、テスト研究室）において各送信シナリオについて測定を実行することは、非常に時間が掛かり、高価であり得る。テスト時間を低減するために、測定が、送信シナリオのサブセットについて実行されて、送信シナリオのサブセットについてのＰＤ分布が生成され得る。この例では、残りの送信シナリオの各々についてのＰＤ分布は、以下で更に議論されるように、送信シナリオのサブセットについてのＰＤ分布のうちの２つ以上を組み合わせることによって生成され得る。
【００４６】
[0063]例えば、ＰＤ測定が、アンテナ１３２−１〜１３２−Ｍのうちの各１つについて実行されて、アンテナ１３２−１〜１３２−Ｍのうちの各１つについてのＰＤ分布が生成され得る。この例では、アンテナ１３２−１〜１３２−Ｍのうちの２つ以上がアクティブである送信シナリオについてのＰＤ分布は、２つ以上のアクティブアンテナについてのＰＤ分布を組み合わせることによって生成され得る。
【００４７】
[0064]別の例では、ＰＤ測定が、複数の周波数帯域のうちの各１つについて実行されて、複数の周波数帯域のうちの各１つについてのＰＤ分布が生成され得る。この例では、２つ以上の周波数帯域がアクティブである送信シナリオについてのＰＤ分布は、２つ以上のアクティブ周波数帯域についてのＰＤ分布を組み合わせることによって生成され得る。
【００４８】
[0065]ある特定の態様では、ＰＤ分布は、ＰＤ分布における各ＰＤ値をＰＤ限界で除算することによって、ＰＤ限界に対して正規化され得る。このケースでは、正規化ＰＤ値は、正規化ＰＤ値が１より大きいときにＰＤ限界を超え、正規化ＰＤ値が１より小さいときにＰＤ限界を下回る。これらの態様では、メモリ１１５中に記憶されたＰＤ分布の各々は、ＰＤ限界に対して正規化され得る。
【００４９】
[0066]ある特定の態様では、送信シナリオについての正規化ＰＤ分布は、２つ以上の正規化ＰＤ分布を組み合わせることによって生成され得る。例えば、２つ以上のアンテナがアクティブである送信シナリオについての正規化ＰＤ分布は、２つ以上のアクティブアンテナについての正規化ＰＤ分布を組み合わせることによって生成され得る。異なる送信電力レベルがアクティブアンテナのために使用されるケースでは、各アクティブアンテナについての正規化ＰＤ分布は、アクティブアンテナについての正規化ＰＤ分布を組み合わせる前に、それぞれの送信電力レベルによってスケーリングされ得る。複数のアクティブアンテナからの同時送信のための正規化ＰＤ分布は、以下によって与えられ得る：
【数６】
2021529469.tif 000008
ここで、ＰＤlimは、ＰＤ限界であり、ＰＤnorm_combinedは、アクティブアンテナからの同時送信のための組み合わされた正規化ＰＤ分布であり、ｉは、アクティブアンテナについてのインデックスであり、ＰＤiは、ｉ番目のアクティブアンテナについてのＰＤ分布であり、Ｔｘiは、ｉ番目のアクティブアンテナについての送信電力レベルであり、ＴｘPDiは、ｉ番目のアクティブアンテナについてのＰＤ分布についての送信電力レベルであり、Ｌは、アクティブアンテナの数である。方程式（５）は、以下のように書き換えられ得る：
【数７】
2021529469.tif 000009
ここで、ＰＤnorm_iは、ｉ番目のアクティブアンテナについての正規化ＰＤ分布である。同じ送信周波数で複数のアクティブアンテナを使用する同時送信（例えば、ＭＩＭＯ）のケースでは、組み合わされた正規化ＰＤ分布は、以下によって与えられるように、個々の正規化ＰＤ分布の平方根を合計し、合計の平方を計算することによって取得される：
【数８】
2021529469.tif 000010
【００５０】
[0067]別の例では、異なる周波数帯域についての正規化ＰＤ分布が、メモリ１１５中に記憶され得る。この例では、２つ以上の周波数帯域がアクティブである送信シナリオについての正規化ＰＤ分布は、２つ以上のアクティブ周波数帯域についての正規化ＰＤ分布を組み合わせることによって生成され得る。送信電力レベルがアクティブ周波数帯域について異なるケースでは、アクティブ周波数帯域の各々についての正規化ＰＤ分布は、アクティブ周波数帯域についての正規化ＰＤ分布を組み合わせる前に、それぞれの送信電力レベルによってスケーリングされ得る。この例では、組み合わされたＰＤ分布はまた、方程式（６ａ）を使用して計算され得、それにおいて、ｉは、アクティブ周波数帯域についてのインデックスであり、ＰＤnorm_iは、ｉ番目のアクティブ周波数帯域についての正規化ＰＤ分布であり、Ｔｘiは、ｉ番目のアクティブ周波数帯域についての送信電力レベルであり、ＴｘPDiは、ｉ番目のアクティブ周波数帯域についての正規化ＰＤ分布についての送信電力レベルである。
【００５１】
[0068]上述されたように、ワイヤレスデバイス１００は、第１の技術（例えば、３Ｇ、４Ｇ、ＩＥＥＥ８０２．１１ａｃ、等）と第２の技術（例えば、５Ｇ、ＩＥＥＥ８０２．１１ａｄ、等）とを使用して信号を同時に送信し得、それにおいて、ＲＦ曝露が、第１の技術と第２の技術とで異なるメトリック（例えば、第１の技術ではＳＡＲ、第２の技術ではＰＤ）を使用して測定される。このケースでは、プロセッサ１１０は、ＲＦ曝露限界を遵守する将来のタイムスロットにおける送信のために、第１の技術についての第１の最大許容電力レベル及び第２の技術についての第２の最大許容電力レベルを決定し得る。将来のタイムスロット中に、第１及び第２の技術についての送信電力レベルは、更に以下のように、ＲＦ曝露限界の遵守を保証するために、決定された第１及び第２の最大許容電力レベルによってそれぞれ制約される（即ち、境界を定められる（bounded））。本開示では、「最大許容電力レベル」という用語は、特に明記されない限り、ＲＦ曝露限界によって課される「最大許容電力レベル」を指す。「最大許容電力レベル」は、ＲＦ曝露限界を遵守する絶対最大電力レベルに必ずしも等しくなく、（例えば、安全マージンを提供するために）ＲＦ曝露限界を遵守する絶対最大電力レベル未満であり得ることが理解されるべきである。「最大許容電力レベル」は、ＲＦ曝露遵守を保証するために、送信の電力レベルが「最大許容電力レベル」を超えることを可能にされないように送信器における送信に対する電力レベル限界を設定するために、使用され得る。
【００５２】
[0069]プロセッサ１１０は、以下のように第１及び第２の最大許容電力レベルを決定し得る。プロセッサは、第１の送信電力レベルで第１の技術についての正規化ＳＡＲ分布を決定し、第２の送信電力レベルで第２の技術についての正規化ＰＤ分布を決定し、正規化ＳＡＲ分布と正規化ＰＤ分布とを組み合わせて、組み合わされた正規化ＲＦ曝露分布（以下では単に組み合わされた正規化分布と呼ばれる）を生成し得る。組み合わされた正規化分布における各ロケーションにおける値は、そのロケーションにおける正規化ＳＡＲ値をそのロケーションにおける正規化ＰＤ値と組み合わせることによって、又は別の技法によって決定され得る。
【００５３】
[0070]プロセッサ１１０は次いで、組み合わされた正規化分布におけるピーク値を１と比較することによって、第１及び第２の送信電力レベルがＲＦ曝露限界を遵守するかどうかを決定し得る。ピーク値が１以下である（即ち、条件≦１を満たす）場合、プロセッサ１１０は、第１及び第２の送信電力レベルがＲＦ曝露限界（例えば、ＳＡＲ限界及びＰＤ限界）を遵守すると判断し、第１及び第２の送信電力レベルを、将来のタイムスロット中にそれぞれ第１及び第２の最大許容電力レベルとして使用し得る。ピーク値が１より大きい場合、プロセッサ１１０は、第１及び第２の送信電力レベルがＲＦ曝露限界を遵守しないと判断し得る。将来のタイムスロット中の不遵守を回避するために、プロセッサ１１０は、組み合わされた正規化分布におけるピーク値が１以下であるように、第１及び第２の送信電力レベルのうちの１つ以上を低減し得る。このケースでは、プロセッサ１１０は、ＲＦ曝露限界を遵守する第１及び第２の送信電力レベルを、将来のタイムスロット中に第１及び第２の最大許容電力レベルとしてそれぞれ使用し得る。第１及び第２の技術を使用する同時送信のためのＲＦ曝露遵守のための条件は、以下によって与えられ得る：
【数９】
2021529469.tif 000011
【００５４】
[0071]将来のタイムスロット中に、プロセッサ１１０は、第１の最大許容電力レベルによって第１の送信機１２０の送信電力レベルを制限（制約）する。例えば、電力制御ループが第１の技術のために使用される場合、電力制御ループは、第１の送信機１２０の送信電力レベルを、第１の最大許容電力レベル以下の電力レベルであるが、第１の最大許容電力レベルを超える電力レベルではない電力レベルに設定することを可能にされる。将来のタイムスロット中に、プロセッサ１１０はまた、第２の最大許容電力レベルによって第２の送信機１３０の送信電力レベルを制限（制約）する。例えば、電力制御ループが第２の技術のために使用される場合、電力制御ループは、第２の送信機１３０の送信電力レベルを、第２の最大許容電力レベル以下の電力レベルであるが、第２の最大許容電力レベルを超える電力レベルではない電力レベルに設定することを可能にされる。
【００５５】
[0072]図２は、正規化ＳＡＲ分布２１０及び正規化ＰＤ分布２２０の視覚的表現を示し、それにおいて、正規化ＳＡＲ分布２１０及び正規化ＰＤ分布２２０は組み合わされて、組み合わされた正規化分布２３０が生成される。図２はまた、組み合わされた正規化分布２３０におけるピーク値がＲＦ曝露遵守では１以下になる条件を示している。分布２１０、２２０、及び２３０の各々は、図２において２次元分布として図示されているが、本開示はこの例に限定されないことが理解されるべきである。
【００５６】
[0073]方程式（７）における正規化ＳＡＲ分布は、（例えば、複数のアクティブアンテナを使用する送信シナリオについて）上述されたように、２つ以上の正規化ＳＡＲ分布を組み合わせることによって生成され得る。同様に、方程式（７）における正規化ＰＤ分布は、（例えば、複数のアクティブアンテナを使用する送信シナリオについて）上述されたように、２つ以上の正規化ＰＤ分布を組み合わせることによって生成され得る。このケースでは、方程式（７）におけるＲＦ曝露遵守のための条件は、方程式（３ａ）及び（６ａ）を使用して以下のように書き換えられ得る：
【数１０】
2021529469.tif 000012
ＭＩＭＯのケースでは、方程式（３ｂ）及び（６ｂ）が、代わりに組み合わされ得る。方程式（８）に示されるように、組み合わされた正規化分布は、第１の技術についての送信電力レベル及び第２の技術についての送信電力レベルの関数であり得る。組み合わされた正規化分布における全ての点は、方程式（８）における１の正規化限界を満たすべきである。加えて、ＳＡＲ分布とＰＤ分布とを組み合わせるとき、ＳＡＲ分布とＰＤ分布とは、方程式（８）によって与えられる組み合わされた分布が人体の所与の位置に対する組み合わされたＲＦ曝露を表すように、空間的に整列されるか、又はそれらのピークロケーションと整列されるべきである。
【００５７】
[0074]ワイヤレスデバイス１００が第１の技術及び第２の技術を使用して信号を同時に送信するケースでは、プロセッサ１１０は、以下のように、将来のタイムスロットにおける送信のために、第１の技術についての１つ以上の最大許容電力レベルと第２の技術についての１つ以上の最大許容電力レベルとを決定し得る。プロセッサ１１０は、将来のタイムスロットにおける第１の技術についての送信シナリオに基づいて、メモリ１１５から第１の技術についての１つ以上の正規化ＳＡＲ分布を取り出し、将来のタイムスロットにおける第２の技術についての送信シナリオに基づいて、メモリ１１５から第２の技術についての１つ以上の正規化ＰＤ分布を取り出す。例えば、第１の技術についての送信シナリオが複数のアクティブアンテナを使用する場合、プロセッサ１１０は、アクティブアンテナの各々についての正規化ＳＡＲ分布を取り出し得る。同様に、第２の技術についての送信シナリオが複数のアクティブアンテナを使用する場合、プロセッサ１１０は、アクティブアンテナの各々についての正規化ＰＤ分布を取り出し得る。
【００５８】
[0075]プロセッサ１１０は次いで、図３に例示された例証的な方法を実行することによって、ＲＦ曝露限界（例えば、ＳＡＲ限界及びＰＤ限界）を遵守する第１及び第２の技術についての最大許容電力レベルを決定し得る。
【００５９】
[0076]ブロック３１０において、プロセッサ１１０は、将来のタイムスロットにおける第１及び第２の技術についての送信シナリオに従って、第１及び第２の技術についての送信電力レベルを初期化する。第１の技術についての送信シナリオが複数のアクティブアンテナを使用する場合、送信電力レベルは、第１の技術についてのアクティブアンテナの各々についての送信電力レベルを含み得る。同様に、第２の技術についての送信シナリオが複数のアクティブアンテナを使用する場合、送信電力レベルは、第２の技術についてのアクティブアンテナの各々についての送信電力レベルを含み得る。
【００６０】
[0077]第１及び第２の技術についての送信電力レベルは、１つ以上の電力制御ループ、１つ以上の所望されるデータレート、１つ以上の所望されるビーム方向又はセクタ、等に従って初期化され得る。一例では、送信電力レベルは、デフォルト送信電力レベルのセットに初期化され得る。
【００６１】
[0078]ブロック３２０において、プロセッサ１１０は、ブロック３１０における送信電力レベル、取り出された正規化ＳＡＲ分布、及び取り出された正規化ＰＤ分布に基づいて（例えば、上述された方程式（８）に従って）、組み合わされた正規化分布を決定する。
【００６２】
[0079]ブロック３３０において、プロセッサ１１０は、組み合わされた正規化分布におけるピーク値を１と比較する。組み合わされた正規化分布におけるピーク値が１以下である（即ち、条件≦１を満たす）場合、プロセッサ１１０は、送信電力レベルがＲＦ曝露限界を遵守すると判断する。このケースでは、方法３００は、ブロック３５０で終了し、プロセッサ１１０は、将来のタイムスロットについての最大許容電力レベルとして送信電力レベルを使用する。
【００６３】
[0080]組み合わされた正規化分布におけるピーク値が１より大きい場合、プロセッサ１１０は、ブロック３４０において送信電力レベルを調整する。例えば、プロセッサ１１０は、送信電力レベルの１つ以上を低減することによって送信電力レベルを調整し得る。
【００６４】
[0081]プロセッサ１１０は次いで、調整された送信電力レベルを使用してブロック３２０及び３３０を繰り返す（即ち、調整された送信電力レベルを使用してブロック３２０において組み合わされた正規化分布を決定する）。プロセッサ１１０は、組み合わされた正規化分布におけるピーク値が１以下になるまでブロック３４０、３２０、及び３３０を繰り返し得、ピーク値が１以下になった時点で、送信電力レベルは、ＲＦ曝露限界を遵守する。ＲＦ曝露限界を遵守する送信電力レベルは次いで、将来のタイムスロットについての最大許容電力レベルとして使用される。最大許容電力レベルは、第１の技術についての１つ以上の最大許容電力レベルと、第２の技術についての１つ以上の最大許容電力レベルとを含む。複数のアクティブアンテナ（例えば、アンテナ１２２−１〜１２２−Ｎのうちの２つ以上）が第１の技術のために使用される例では、最大許容電力レベルは、アクティブアンテナの各々についての最大許容電力レベルを含む。複数のアクティブアンテナ（例えば、アンテナ１３２−１〜１３２−Ｍのうちの２つ以上）が第２の技術のために使用される例では、最大許容電力レベルは、アクティブアンテナの各々についての最大許容電力レベルを含む。
【００６５】
[0082]プロセッサ１１０が最大許容電力レベルを決定した後、プロセッサ１１０は、第１の技術についての１つ以上の決定された最大許容電力レベルによって、将来のタイムスロット中に第１の送信機１２０の送信電力を制約する。第１の送信機１２０が将来のタイムスロット中に複数のアンテナ（例えば、アンテナ１２２−１〜１２２−Ｎのうちの２つ以上）を使用して信号を送信する例では、最大許容電力レベルは、アクティブアンテナの各々についての最大許容電力レベルを含む。この例では、プロセッサ１１０は、それぞれの最大許容電力レベルによってアクティブアンテナの各々についての送信電力レベルを制約する。プロセッサ１１０はまた、第２の技術についての１つ以上の決定された最大許容電力レベルによって、将来のタイムスロット中に第２の送信機１３０の送信電力を制約する。第２の送信機１３０が将来のタイムスロット中に複数のアンテナ（例えば、アンテナ１３２−１〜１３２−Ｍのうちの２つ以上）を使用して信号を送信する例では、最大許容電力レベルは、アクティブアンテナの各々についての最大許容電力レベルを含む。この例では、プロセッサ１１０は、それぞれの最大許容電力レベルによってアクティブアンテナの各々についての送信電力レベルを制約する。
【００６６】
[0083]本開示は、図３に例示された例証的な方法３００に限定されず、ＲＦ曝露限界を遵守する第１及び第２の技術についての最大許容電力レベルを決定するために他の方法が用いられ得ることが理解されるべきである。例えば、プロセッサ１１０は、より少ない計算で最大許容電力レベルを決定するための保守的な近似分析のために、組み合わされた正規化分布におけるピーク値が１未満の値以下になることをもたらす最大許容電力レベルを決定し得る。このことから、１未満の値が、ＲＦ曝露遵守を評価するための条件として使用され得る。
【００６７】
[0084]いくつかのケースでは、ワイヤレスデバイス１００は、第１の技術がアクティブでないとき、第２の技術（例えば、５Ｇ、ＩＥＥＥ８０２．１１ａｄ、等）を使用して信号を送信し得る。これらのケースでは、第１の技術からのＲＦ曝露は、ＲＦ曝露遵守を評価するために考慮される必要はない。
【００６８】
[0085]これらのケースでは、プロセッサ１１０は、以下のように、ＰＤ限界を遵守する将来のタイムスロットにおける第２の技術についての最大許容電力レベルを決定し得る。第１に、プロセッサ１１０は、将来のタイムスロットにおける第２の技術についての送信シナリオに基づいて、メモリ１１５から第２の技術についての正規化ＰＤ分布を取り出し得る。例えば、将来のタイムスロットにおける第２の技術についての送信シナリオが複数のアクティブアンテナを使用する場合、プロセッサ１１０は、アクティブアンテナの各々についての正規化ＰＤ分布を取り出し得る。この例では、アクティブアンテナは、例えば、将来のタイムスロットにおけるワイヤレスデバイス１００による送信のための所望されるビーム方向又はセクタに基づいて選択され得る。
【００６９】
[0086]プロセッサ１１０は次いで、図４に例示された例証的な方法を実行することによって、ＰＤ限界を遵守する第２の技術についての最大許容電力レベルを決定し得る。
【００７０】
[0087]ブロック４１０において、プロセッサ１１０は、第２の技術についての送信シナリオに従って、第２の技術についての送信電力レベルを初期化する。第２の技術についての送信シナリオが複数のアクティブアンテナを使用する場合、送信電力レベルは、アクティブアンテナの各々についての送信電力レベルを含み得る。送信電力レベルは、電力制御ループ、所望されるデータレート、所望されるビーム方向又はセクタ、等に従って初期化され得る。一例では、送信電力レベルは、デフォルト送信電力レベルのセットに初期化され得る。
【００７１】
[0088]ブロック４２０において、プロセッサ１１０は、ブロック４１０における送信電力レベルと、取り出された正規化ＰＤ分布とに基づいて（例えば、上述された方程式（６ａ）又は（６ｂ）に従って）、組み合わされた正規化ＰＤ分布を決定する。
【００７２】
[0089]ブロック４３０において、プロセッサ１１０は、組み合わされた正規化ＰＤ分布におけるピーク値を１と比較する。組み合わされた正規化ＰＤ分布におけるピーク値が１以下である（即ち、条件≦１を満たす）場合、プロセッサ１１０は、送信電力レベルがＰＤ限界を遵守すると判断する。このケースでは、方法４００は、ブロック４５０で終了し、プロセッサ１１０は、送信電力レベルを第２の送信機１３０についての最大許容電力レベルとして使用する。
【００７３】
[0090]組み合わされた正規化ＰＤ分布におけるピーク値が１より大きい場合、プロセッサ１１０は、ブロック４４０において送信電力レベルを調整する。例えば、プロセッサ１１０は、ブロック４１０において初期化された送信電力レベルのうちの１つ以上を低減することによって送信電力レベルを調整し得る。
【００７４】
[0091]プロセッサ１１０は次いで、調整された送信電力レベルを使用してブロック４２０及び４３０を繰り返す（即ち、調整された送信電力レベルを使用してブロック４２０において組み合わされた正規化ＰＤ分布を決定する）。プロセッサ１１０は、組み合わされた正規化ＰＤ分布におけるピーク値が１以下になるまでブロック４４０、４２０、及び４３０を繰り返し得、ピーク値が１以下になった時点で、送信電力レベルは、ＰＤ限界を遵守する。プロセッサ１１０は次いで、ＰＤ限界を遵守する送信電力レベルを第２の送信機１３０についての最大許容電力レベルとして使用する。プロセッサ１１０がＰＤ限界を遵守する最大許容電力レベルを決定した後、プロセッサ１１０は、決定された最大許容電力レベルに従って、将来のタイムスロット中に第２の送信機１３０についての送信電力を制約する。第２の送信機１３０が将来のタイムスロット中に複数のアクティブアンテナ（例えば、アンテナ１３２−１〜１３２−Ｍのうちの２つ以上）を使用して信号を送信する例では、第２の技術についての最大許容電力レベルは、アクティブアンテナの各々についての最大許容電力レベルを含む。この例では、プロセッサ１１０は、それぞれの最大許容電力レベルによってアクティブアンテナの各々についての送信電力レベルを制約する。
【００７５】
[0092]本開示は、図４に例示された例証的な方法４００に限定されず、ＰＤ限界を遵守する最大許容電力レベルを決定するために他の方法が用いられ得ることが理解されるべきである。例えば、プロセッサ１１０は、より少ない計算で最大許容電力レベルを決定するための保守的な近似分析のために、ピーク値が１未満の値以下になることをもたらす最大許容電力レベルを決定し得る。
【００７６】
[0093]ある特定のケースでは、ＲＦ曝露規制は、時間ウィンドウにわたる時間平均化されたＲＦ曝露がＲＦ曝露限界を超えないことを要求する。これは、ワイヤレスデバイス１００が、時間平均化されたＲＦ曝露が限界を超えない限り、ＲＦ曝露限界を短時間超えることを可能にする。
【００７７】
[0094]これに関して、プロセッサ１１０は、以下のように、第１の技術がアクティブであり、第２の技術がアクティブでないケースのためのＲＦ曝露遵守を決定し得る。プロセッサ１１０は、第１の時間ウィンドウ（例えば、６分）にわたる時間平均化された正規化ＳＡＲ分布を計算し、時間平均化された正規化ＳＡＲ分布におけるピーク値を１と比較して、ＲＦ曝露遵守を評価し得る。ピーク値が１以下である（即ち、条件≦１を満たす）場合、プロセッサ１１０は、ＲＦ曝露遵守を決定し得る。
【００７８】
[0095]これに関して、図５は、プロセッサ１１０が第１の時間ウィンドウ５０５（例えば、６分）にわたる時間平均化された正規化ＳＡＲ分布を計算する例を例示する。この例では、第１の時間ウィンドウ５０５は、複数のタイムスロット（即ち、時間間隔）に分割される。例えば、６分の時間ウィンドウは、５秒のタイムスロットに分割され得る。図５に示された例では、ｐ個のタイムスロット５１５（１）〜５１５（ｐ）と、ｐ個の正規化ＳＡＲ分布５１０（１）〜５１０（ｐ）とがある。分布５１０（１）〜５１０（ｐ）の各々は、図５において２次元分布として図示されているが、本開示はこの例に限定されないことが理解されるべきである。
【００７９】
[0096]プロセッサ１１０は、（例えば、方程式（３ａ）又は（３ｂ）に従って）各タイムスロットについての正規化ＳＡＲ分布を決定し得る。タイムスロットについての正規化ＳＡＲ分布は、２つ以上のＳＡＲ分布を組み合わせることによって生成され得る。例えば、２つ以上のアンテナがタイムスロット中にアクティブである場合、プロセッサ１１０は、２つ以上のアクティブアンテナについての正規化ＳＡＲ分布を組み合わせて、タイムスロットについての正規化ＳＡＲ分布を生成し得る。異なる送信電力レベルがアクティブアンテナのために使用されるケースでは、プロセッサ１１０は、各アクティブアンテナについての正規化ＳＡＲ分布を、アンテナについての送信電力レベルによってスケーリングし得る。
【００８０】
[0097]ある特定の態様では、第１の技術についての送信シナリオ及び／又は送信電力レベルは、第１の時間ウィンドウ５０５にわたって変動し得る。これらの態様では、送信シナリオは、１つのタイムスロットにわたってほぼ一定であり得るが、第１の時間ウィンドウ５０５内のタイムスロット毎に変動し得る。プロセッサ１１０は、タイムスロットについての送信シナリオ及び時間平均化された送信電力レベルに基づいて（例えば、方程式（３ａ）又は３（ｂ）に従って）、各タイムスロットについての正規化ＳＡＲ分布を決定し得る。
【００８１】
[0098]プロセッサ１１０は、第１の時間ウィンドウ５０５にわたって正規化ＳＡＲ分布５１０（１）〜５１０（ｐ）を平均化して、時間平均化された正規化ＳＡＲ分布５２０を生成し得る。例えば、プロセッサ１１０は、以下によって与えられるように、タイムスロット５１５（１）〜５１５（ｐ）についての正規化ＳＡＲ分布５１０（１）〜５１０（ｐ）を組み合わせ、結果として生じる組み合わされた正規化ＳＡＲ分布をタイムスロットの数で除算することによって、時間平均化された正規化ＳＡＲ分布５２０を計算し得る：
【数１１】
2021529469.tif 000013
ここで、ＳＡＲnorm_jは、ｊ番目のタイムスロット５１０（ｊ）についての正規化ＳＡＲ分布を表す。上述されたように、タイムスロットについての正規化ＳＡＲ分布は、（例えば、複数のアクティブアンテナのケースでは）タイムスロットについての複数のＳＡＲ分布の組み合わせであり得る。プロセッサ１１０は次いで、時間平均化された正規化ＳＡＲ分布５２０におけるピーク値を１と比較して、ＲＦ曝露遵守を評価し得る。ピーク値が１以下である（即ち、条件≦１を満たす）場合、プロセッサ１１０は、ＲＦ曝露遵守を決定し得る。
【００８２】
[0099]ある特定の態様では、プロセッサ１１０は、時間平均ＲＦ曝露遵守を保証するために、将来のタイムスロットについての最大許容電力レベルを決定し得る。この点に関して、図５におけるタイムスロット５１５（１）〜５１５（ｐ−１）は、ワイヤレスデバイス１００による以前の送信に対応し得、タイムスロット５１５（ｐ）は、将来のタイムスロットに対応し得る。これに関して、タイムスロット５１５（ｐ）は、以下では将来のタイムスロットと呼ばれる。方程式（９ａ）は、以下のように書き換えられ得る：
【数１２】
2021529469.tif 000014
ここで、ＳＡＲnorm_pは、将来のタイムスロット５１５（ｐ）についてのＳＡＲ分布である。
【００８３】
[0100]この例では、正規化ＳＡＲ分布５１０（１）〜５１０（ｐ−１）についての送信電力レベルは、ワイヤレスデバイス１００による以前の送信に対応するので、プロセッサ１１０によって知られていると仮定される。例えば、プロセッサ１１０は、タイムスロット５１５（１）〜５１５（ｐ−１）の各々についての送信電力レベル及び送信シナリオをメモリ１１５中に記録し、タイムスロット５１５（１）〜５１５（ｐ−１）についての記録された送信電力レベル及び送信シナリオを使用して、これらのタイムスロットについての正規化ＳＡＲ分布５１０（１）〜５１０（ｐ−１）を決定し得る。タイムスロット５１５（１）〜５１５（ｐ−１）について、ｊ番目のタイムスロット５１５（ｊ）についての正規化ＳＡＲ分布は、ｊ番目のタイムスロット５１５（ｊ）中にアクティブであった全ての送信シナリオ及び電力レベルについて方程式（３ａ）又は（３ｂ）を使用して決定され得る。
【００８４】
[0101]この例では、将来のタイムスロット５１５（ｐ）に対応する正規化ＳＡＲ分布５１０（ｐ）についての送信電力レベルは、プロセッサ１１０によって解かれることになる変数である。将来のタイムスロット５１５（ｐ）についての最大許容電力レベルを決定するために、プロセッサ１１０は、時間平均化された正規化ＳＡＲ分布５２０を計算し得、それにおいて、将来のタイムスロット５１５（ｐ）についての送信電力レベルは、時間平均化された正規化ＳＡＲ分布５２０における変数である（即ち、時間平均化された正規化ＳＡＲ分布は、将来のタイムスロット５１５（ｐ）についての送信電力レベルの関数である）。プロセッサ１１０は次いで、時間平均化された正規化ＳＡＲ分布におけるピーク値が１以下である（即ち、方程式（９ｂ）における条件≦１を満たす）ように、将来のタイムスロット５１５（ｐ）についての送信電力レベルを決定し得る。プロセッサ１１０は、ＲＦ曝露遵守のための条件を満たす送信電力レベルを、将来のタイムスロット５１５（ｐ）についての最大許容電力レベルとして使用し、決定された最大許容電力レベルに従って、将来のタイムスロット５１５（ｐ）についての送信電力限界を設定する。プロセッサ１１０は、プロセッサ１１０が最大許容電力レベルを実施するために、将来のタイムスロット５１５（ｐ）についての最大許容電力レベルが将来のタイムスロット５１５（ｐ）の開始時に準備されているように、タイムスロット５１５（ｐ−１）中に将来のタイムスロット５１５（ｐ）についての最大許容電力レベルを決定し得る。
【００８５】
[0102]プロセッサ１１０は、図６に例示された例証的な方法６００に従って、将来のタイムスロット５１５（ｐ）についての最大許容電力レベルを決定し得る。ブロック６１０において、プロセッサ１１０は、将来のタイムスロット５１５（ｐ）についての送信シナリオに従って、将来のタイムスロット５１５（ｐ）についての送信電力レベルを初期化する。送信電力レベルは、電力制御ループ、所望されるデータレート、所望されるビーム方向又はセクタ、等に従って初期化され得る。一例では、送信電力レベルは、デフォルト送信電力レベルのセットに初期化され得る。
【００８６】
[0103]ブロック６２０において、プロセッサ１１０は、将来のタイムスロット５１５（ｐ）についてのブロック６１０における送信シナリオ及び送信電力レベルに基づいて、時間平均化された正規化ＳＡＲ分布を決定する。以前のタイムスロット５１５（１）〜５１５（ｐ−１）についての送信電力レベルは、上述されたように知られていることに留意されたい。
【００８７】
[0104]ブロック６３０において、プロセッサ１１０は、時間平均化された正規化ＳＡＲ分布におけるピーク値を１と比較して、ＲＦ曝露遵守を評価する。ピーク値が１以下である場合、方法６００は、ブロック６５０で終了する。このケースでは、プロセッサ１１０は、ブロック６１０において初期化された送信電力レベルを、将来のタイムスロット５１５（ｐ）についての最大許容電力レベルとして使用する。
【００８８】
[0105]ピーク値が１より大きい場合、プロセッサ１１０は、ブロック６４０において、将来のタイムスロットについての送信電力レベルを調整する。プロセッサ１１０は、将来のタイムスロットについての送信電力レベルのうちの１つ以上を低減することによって、将来のタイムスロットについての送信電力レベルを調整し得る。プロセッサ１１０は次いで、調整された送信電力レベルを使用してブロック６２０及び６３０を繰り返す。プロセッサ１１０は、時間平均化された正規化ＳＡＲ分布におけるピーク値が１以下になるまでブロック６４０、６２０、及び６３０を繰り返し得、ピーク値が１以下になった時点で、送信電力レベルは、ＳＡＲ限界を遵守し、プロセッサ１１０は、ＳＡＲ限界を遵守する送信電力レベルを、将来のタイムスロット５１５（ｐ）についての最大許容電力レベルとして使用する。
【００８９】
[0106]第１の送信機１２０が将来のタイムスロット５１５（ｐ）中に複数のアクティブアンテナ（例えば、アンテナ１２２−１〜１２２−Ｎのうちの２つ以上）を使用して信号を送信する例では、最大許容電力レベルは、アクティブアンテナの各々についての最大許容電力レベルを含み得る。この例では、プロセッサ１１０は、それぞれの最大許容電力レベルによってアクティブアンテナの各々についての送信電力レベルを制限（制約）する。
【００９０】
[0107]本開示は、図６に例示された例証的な方法６００に限定されず、時間平均化された正規化ＳＡＲ分布がＳＡＲ限界を遵守するように、将来のタイムスロット５１５（ｐ）についての送信電力レベルを決定するために他の方法が用いられ得ることが理解されるべきである。例えば、プロセッサ１１０は、より少ない計算で最大許容電力レベルを決定するための保守的な近似分析のために、時間平均化された正規化ＳＡＲ分布におけるピーク値が１未満の値以下になることをもたらす最大許容電力レベルを決定し得る。
【００９１】
[0108]ある特定のケースでは、規制機関は、第２の技術についての時間平均化されたＰＤ分布が第２の技術についてのＰＤ限界を超えないことを要求し得る。これは、時間平均化されたＰＤ分布がＰＤ限界を超えない限り、ワイヤレスデバイス１００がＰＤ限界を短時間超えることを可能にする。
【００９２】
[0109]これに関して、プロセッサ１１０は、以下のように、第２の技術がアクティブであり、第１の技術がアクティブでないケースのためのＲＦ曝露遵守を決定し得る。プロセッサ１１０は、第２の時間ウィンドウ（例えば、２分）にわたって時間平均化された正規化ＰＤ分布を計算し、時間平均化された正規化ＰＤ分布におけるピーク値を１と比較して、ＲＦ曝露遵守を評価し得る。ピーク値が１以下である（即ち、条件≦１を満たす）場合、プロセッサ１１０は、ＲＦ曝露遵守を決定し得る。
【００９３】
[0110]これに関して、図７は、プロセッサ１１０が第２の時間ウィンドウ７０５（例えば、２分）にわたる時間平均化された正規化ＰＤ分布を計算する例を例示する。この例では、第２の時間ウィンドウ７０５は、複数のタイムスロット（即ち、時間間隔）に分割される。例えば、２分の時間ウィンドウは、５秒のタイムスロットに分割され得る。図７に示された例では、ｑ個のタイムスロット７１５（１）〜７１５（ｑ）と、ｑ個の正規化ＰＤ分布７１０（１）〜７１０（ｑ）とがある。分布７１０（１）〜７１０（ｑ）の各々は、図７では２次元分布として図示されているが、本開示はこの例に限定されないことが理解されるべきである。
【００９４】
[0111]プロセッサ１１０は、（例えば、方程式（６ａ）又は（６ｂ）に従って）、各タイムスロットについての正規化ＰＤ分布を決定し得る。タイムスロットについての正規化ＰＤ分布は、２つ以上のＰＤ分布を組み合わせることによって生成され得る。例えば、２つ以上のアンテナがタイムスロット中にアクティブである場合、プロセッサ１１０は、２つ以上のアクティブアンテナについての正規化ＰＤ分布を組み合わせて、タイムスロットについての正規化ＰＤ分布を生成し得る。異なる送信電力レベルがアクティブアンテナのために使用されるケースでは、プロセッサ１１０は、各アクティブアンテナについての正規化ＰＤ分布をそれぞれの送信電力レベルによってスケーリングし得る。
【００９５】
[0112]ある特定の態様では、第２の技術についての送信シナリオ及び／又は送信電力レベルは、第２の時間ウィンドウ７０５にわたって変動し得る。これらの態様では、送信シナリオは、１つのタイムスロットにわたってほぼ一定であり得るが、第２の時間ウィンドウ７０５内のタイムスロット毎に変動し得る。プロセッサ１１０は、タイムスロット中の送信シナリオ及び時間平均化された送信電力レベルに基づいて（例えば、方程式（６ａ）又は（６ｂ）に従って）、各タイムスロットについての正規化ＰＤ分布を決定し得る。
【００９６】
[0113]プロセッサ１１０は、第２の時間ウィンドウ７０５にわたって正規化ＰＤ分布７１０（１）〜７１０（ｑ）を平均化して、時間平均化された正規化ＰＤ分布７２０を生成し得る。例えば、プロセッサ１１０は、以下によって与えられるように、タイムスロット７１５（１）〜７１５（ｑ）についての正規化ＰＤ分布７１０（１）〜７１０（ｑ）を組み合わせ、結果として生じる組み合わされた正規化ＰＤ分布をタイムスロットの数で除算することによって、時間平均化された正規化ＰＤ分布７２０を計算し得る。
【数１３】
2021529469.tif 000015
ここで、ＰＤnorm_jは、ｊ番目のタイムスロット７１０（ｊ）についての正規化ＰＤ分布を表す。上述されたように、タイムスロットについての正規化ＰＤ分布は、（例えば、複数のアクティブアンテナのケースでは）タイムスロットについての複数の正規化ＰＤ分布の組み合わせであり得る。プロセッサ１１０は次いで、時間平均化された正規化ＰＤ分布７２０におけるピーク値を１と比較して、ＲＦ曝露遵守を評価し得る。ピーク値が１以下である（即ち、条件≦１を満たす）場合、プロセッサ１１０は、ＲＦ曝露遵守を決定し得る。
【００９７】
[0114]ある特定の態様では、プロセッサ１１０は、時間平均化されたＲＦ曝露遵守を保証するために、将来のタイムスロットについての最大許容電力レベルを決定し得る。この点に関して、図７におけるタイムスロット７１５（１）〜７１５（ｑ−１）は、ワイヤレスデバイス１００による以前の送信に対応し得、タイムスロット７１５（ｑ）は、将来の送信に対応し得る。これに関して、タイムスロット７１５（ｑ）は、以下では将来のタイムスロットと呼ばれる。方程式（１０ａ）は、以下のように書き換えられ得る：
【数１４】
2021529469.tif 000016
ここで、ＰＤnorm_qは、将来のタイムスロット７１５（ｑ）についての正規化ＰＤ分布である。
【００９８】
[0115]この例では、正規化ＰＤ分布７１０（１）〜７１０（ｑ−１）についての送信電力レベルは、ワイヤレスデバイス１００による以前の送信に対応するので、プロセッサ１１０によって知られていると仮定される。例えば、プロセッサ１１０は、タイムスロット７１５（１）〜７１５（ｑ−１）の各々についての送信電力レベル及び送信シナリオをメモリ１１５中に記録し、タイムスロット７１５（１）〜７１５（ｑ−１）についての記録された送信電力レベル及び送信シナリオを使用して、これらのタイムスロットについての正規化ＰＤ分布７１０（１）〜７１０（ｑ−１）を決定し得る。タイムスロット７１５（１）〜７１５（ｑ−１）について、ｊ番目のタイムスロット７１５（ｊ）についての正規化ＰＤ分布７１０（ｊ）は、ｊ番目のタイムスロット７１５（ｊ）中にアクティブであった全ての送信シナリオ及び電力レベルについて方程式（６ａ）又は（６ｂ）を使用して決定され得る。
【００９９】
[0116]この例では、将来のタイムスロット７１５（ｑ）に対応する正規化ＰＤ分布７１０（ｑ）についての送信電力レベルは、プロセッサ１１０によって解かれることになる変数である。将来のタイムスロット７１５（ｑ）についての最大許容電力レベルを決定するために、プロセッサ１１０は、時間平均化された正規化ＰＤ分布７２０を計算し得、それにおいて、将来のタイムスロット７１５（ｑ）についての送信電力レベルは、時間平均化された正規化ＰＤ分布７２０における変数である（即ち、時間平均化された正規化ＰＤ分布７２０は、将来のタイムスロット７１５（ｑ）についての送信電力レベルの関数である）。プロセッサ１１０は次いで、時間平均化された正規化ＰＤ分布におけるピーク値が１以下である（即ち、方程式（１０ｂ）における条件≦１を満たす）ように、将来のタイムスロット７１５（ｑ）についての送信電力レベルを決定し得る。ＲＦ曝露レベルを遵守する決定された送信電力レベルは、将来のタイムスロット７１５（ｑ）についての最大許容電力レベルとして使用される。この点に関して、プロセッサ１１０は、決定された最大許容電力レベルに従って、将来のタイムスロット７１５（ｑ）についての送信電力限界を設定する。プロセッサ１１０は、プロセッサ１１０が最大許容電力レベルを実施するために、将来のタイムスロット７１５（ｑ）についての最大許容電力レベルが将来のタイムスロット７１５（ｑ）の開始時に準備されているように、タイムスロット７１５（ｑ−１）中に将来のタイムスロット７１５（ｑ）についての最大許容電力レベルを決定し得る。
【０１００】
[0117]プロセッサ１１０は、図８に例示された例証的な方法８００に従って、将来のタイムスロット７１５（ｑ）についての最大許容電力レベルを決定し得る。ブロック８１０において、プロセッサ１１０は、将来のタイムスロット７１５（ｑ）についての送信シナリオに従って、将来のタイムスロット７１５（ｑ）についての送信電力レベルを初期化する。例えば、送信電力レベルは、電力制御ループ、所望されるデータレート、所望されるビーム方向又はセクタ、等に従って初期化され得る。一例では、送信電力レベルは、デフォルト送信電力レベルのセットに初期化され得る。
【０１０１】
[0118]ブロック８２０において、プロセッサ１１０は、将来のタイムスロット７１５（ｑ）についてのブロック８１０における送信シナリオ及び送信電力レベルに基づいて、時間平均化された正規化ＰＤ分布を決定する。以前のタイムスロット７１５（１）〜７１５（ｑ−１）についての送信電力レベルは、上述されたように知られていることに留意されたい。
【０１０２】
[0119]ブロック８３０において、プロセッサ１１０は、時間平均化された正規化ＰＤ分布におけるピーク値を１と比較して、ＲＦ曝露遵守を評価する。ピーク値が１以下である場合、方法８００は、ブロック８５０で終了する。このケースでは、プロセッサ１１０は、ブロック８１０において初期化された送信電力レベルを、将来のタイムスロット７１５（ｑ）についての最大許容電力レベルとして使用する。
【０１０３】
[0120]ピーク値が１より大きい場合、プロセッサ１１０は、ブロック８４０において、将来のタイムスロットについての送信電力レベル８１０を調整する。プロセッサ１１０は、将来のタイムスロット７１５（ｑ）についての送信電力レベルのうちの１つ以上を低減することによって、将来のタイムスロット７１５（ｑ）についての送信電力レベルを調整し得る。プロセッサ１１０は次いで、調整された送信電力レベルを使用してブロック８２０及び８３０を繰り返す。プロセッサ１１０は、時間平均化されたＰＤ分布におけるピーク値が１以下になるまでブロック８４０、８２０、及び８３０を繰り返し得、ピーク値が１以下になった時点で、送信電力レベルは、ＰＤ限界を遵守し、プロセッサ１１０は、送信電力レベルを将来のタイムスロット７１５（ｑ）についての最大許容電力レベルとして使用する。
【０１０４】
[0121]第２の送信機１３０が、将来のタイムスロット７１５（ｑ）中に複数のアクティブアンテナ（例えば、アンテナ１３２−１〜１３２−Ｍのうちの２つ以上）を使用して信号を送信する例では、最大許容電力レベルは、アクティブアンテナの各々についての最大許容電力レベルを含み得る。この例では、プロセッサ１１０は、それぞれの最大許容電力レベルによってアクティブアンテナの各々についての送信電力レベルを制限（制約）する。
【０１０５】
[0122]本開示は、図８に例示された例証的な方法８００に限定されず、時間平均化された正規化ＰＤ分布がＰＤ限界を遵守するように、将来のタイムスロット７１５（ｑ）についての送信電力レベルを決定するために他の方法が用いられ得ることが理解されるべきである。例えば、プロセッサ１１０は、時間平均化された正規化ＰＤ分布におけるピーク値が１未満の値にほぼ等しいか又はそれよりも小さくなることをもたらす、将来のタイムスロット７１５（ｑ）についての最大許容電力レベルを決定し得る。
【０１０６】
[0123]プロセッサ１１０はまた、第１の技術と第２の技術との両方がアクティブである（即ち、ワイヤレスデバイスが第１の技術と第２の技術とを使用して信号を同時に送信する）ケースのための時間平均化されたＲＦ曝露遵守を決定し得る。これを行うために、プロセッサ１１０は、図９に例示されたように、時間平均化された正規化ＳＡＲ分布５２０と時間平均化された正規化ＰＤ分布７２０とを組み合わせて、組み合わされた時間平均化された正規化分布９２０を生成し得る。プロセッサ１１０は次いで、組み合わされた時間平均化された正規化分布９２０におけるピーク値を１と比較して、時間平均化されたＲＦ曝露遵守を評価し得る。ピーク値が１以下である（即ち、条件≦１を満たす）場合、プロセッサ１１０は、ワイヤレスデバイス１００が遵守していると判断し得る。遵守のための条件は、方程式（９ｂ）及び（１０ｂ）を以下のように組み合わせることによって与えられ得る：
【数１５】
2021529469.tif 000017
【０１０７】
[0124]時間平均化された正規化ＳＡＲ分布についての第１の時間ウィンドウ５０５と、時間平均化された正規化ＰＤ分布についての第２の時間ウィンドウ７０５とは、長さが異なり得る。この点に関して、図９は、第１の時間ウィンドウ５０５が第２の時間ウィンドウ７０５よりも長い例を示す。例えば、第１の時間ウィンドウ５０５は、長さが約６分であり得、第２の時間ウィンドウ７０５は、長さが約２分であり得る。第１及び第２の時間ウィンドウの長さは、（例えば、ＦＣＣ又は他の規制機関によって確立された）それぞれのＲＦ曝露規制によって指定され得る。時間ウィンドウ５０５及び７０５の長さは、図９では一定の縮尺で描かれていないことに留意されたい。
【０１０８】
[0125]ある特定の態様では、プロセッサ１１０は、時間平均化されたＲＦ曝露遵守を保証するために、第１及び第２の技術の将来のタイムスロット５１５（ｐ）及び７１５（ｑ）についての最大許容電力レベルを決定し得る。これらの態様では、将来のタイムスロット５１５（ｐ）及び７１５（ｑ）は、図９における例に示されたように、時間的にほぼ整列され得る。将来のタイムスロット５１５（ｐ）及び７１５（ｑ）についての最大許容電力レベルを決定するために、プロセッサ１１０は、組み合わされた時間平均化された正規化分布９２０を計算し得、それにおいて、将来のタイムスロット５１５（ｐ）及び７１５（ｑ）についての送信電力レベルは、組み合わされた時間平均化された正規化分布９２０における変数である（即ち、組み合わされた時間平均化された正規化分布９２０は、将来のタイムスロット５１５（ｐ）及び７１５（ｑ）についての送信電力レベルの関数である）。プロセッサ１１０は次いで、組み合わされた時間平均化された正規化分布９２０におけるピーク値が１以下である（即ち、方程式（１１）における条件≦１を満たす）ように、将来のタイムスロット５１５（ｐ）及び７１５（ｑ）についての最大許容電力レベルを決定し得る。プロセッサ１１０は次いで、決定された最大許容電力レベルに従って、将来のタイムスロット５１５（ｐ）及び７１５（ｑ）についての送信電力限界を設定し得る。
【０１０９】
[0126]プロセッサ１１０は、図１０に例示された例証的な方法１０００に従って、将来のタイムスロット５１５（ｐ）及び７１５（ｑ）についての最大許容電力レベルを決定し得る。最大許容電力レベルは、第１の技術についての第１の最大許容電力レベルと、第２の技術についての第２の最大許容電力レベルとを含み得る。
【０１１０】
[0127]ブロック１０１０において、プロセッサ１１０は、将来のタイムスロット５１５（ｐ）及び７１５（ｑ）についての送信シナリオに従って、将来のタイムスロット５１５（ｐ）及び７１５（ｑ）についての送信電力レベルを初期化する。第１の技術についての将来のタイムスロット５１５（ｐ）についての送信シナリオが複数のアクティブアンテナを使用する場合、送信電力レベルは、アクティブアンテナの各々についての送信電力レベルを含み得る。同様に、第２の技術についての将来のタイムスロット７１５（ｑ）についての送信シナリオが複数のアクティブアンテナを使用する場合、送信電力レベルは、アクティブアンテナの各々についての送信電力レベルを含み得る。
【０１１１】
[0128]送信電力レベルは、１つ以上の電力制御ループ、１つ以上の所望されるデータレート、１つ以上の所望されるビーム方向又はセクタ、等に従って初期化され得る。一例では、送信電力レベルは、デフォルト送信電力レベルのセットに初期化され得る。
【０１１２】
[0129]ブロック１０２０において、プロセッサ１１０は、将来のタイムスロット５１５（ｐ）及び７１５（ｑ）についての送信電力レベルに基づいて、組み合わされた時間平均化された正規化分布９２０を決定する。第１の技術についての以前のタイムスロット５１５（１）〜５１５（ｐ−１）における送信電力レベル及び第２の技術についての以前のタイムスロット７１５（１）〜７１５（ｑ−１）における送信電力レベルは、上述されたように知られていることに留意されたい。
【０１１３】
[0130]ブロック１０３０において、プロセッサ１１０は、組み合わされた時間平均化された正規化分布におけるピーク値を１と比較して、ＲＦ曝露遵守を評価する。ピーク値が１以下である場合、方法１０００は、ブロック１０５０で終了する。このケースでは、プロセッサ１１０は、ブロック１０１０において初期化された送信電力レベルを、将来のタイムスロット５１５（ｐ）及び７１５（ｑ）についての最大許容電力レベルとして使用する。
【０１１４】
[0131]ピーク値が１より大きい場合、プロセッサ１１０は、ブロック１０４０において将来のタイムスロットについての送信電力レベルを調整する。プロセッサ１１０は、将来のタイムスロットについての送信電力レベルのうちの１つ以上を低減することによって、将来のタイムスロットについての送信電力レベルを調整し得る。プロセッサ１１０は次いで、調整された送信電力レベルを使用してブロック１０２０及び１０３０を繰り返す。プロセッサ１１０は、組み合わされた時間平均化された正規化分布におけるピーク値が１以下になるまでブロック１０４０、１０２０、及び１０３０を繰り返し得、ピーク値が１以下になった時点で、将来のタイムスロットについての送信電力レベルは遵守しており、プロセッサ１１０は、送信電力レベルを最大許容電力レベルとして使用する。決定された最大許容電力レベルは、第１の技術についての第１の最大許容電力レベルと、第２の技術についての第２の最大許容電力レベルとを含む。この点に関して、プロセッサ１１０は、第１の最大許容電力レベルに従って第１の送信機１２０についての送信電力限界を設定し、第２の最大許容電力レベルに従って第２の送信機１３０についての送信電力限界を設定する。
【０１１５】
[0132]本開示は、図１０に例示された例証的な方法１０００に限定されず、組み合わされた時間平均化された正規化分布９２０がＲＦ曝露限界を遵守するように、将来のタイムスロット５１５（ｐ）及び７１５（ｑ）についての最大許容電力レベルを決定するために他の方法が用いられ得ることが理解されるべきである。
【０１１６】
[0133]ある特定の態様では、ＰＤについての時間平均化ウィンドウは、送信周波数に依存する（例えば、２８ＧＨｚ帯域では約２分、及び６０ＧＨｚでは約１分）。これらの態様では、第２の送信機１３０が複数の周波数帯域において信号を送信するとき、時間平均ＰＤ分布は、各周波数帯域について異なる時間ウィンドウを使用して計算され得る。例えば、第２の送信機１３０が第１の周波数帯域（例えば、２８ＧＨｚ）及び第２の周波数帯域（例えば、６０ＧＨｚ）において信号を送信する場合、時間平均ＰＤ分布は、以下によって与えられ得る：
【数１６】
2021529469.tif 000018
ここで、ｑは、第１の周波数帯域（例えば、２８ＧＨｚ帯域）についてのタイムスロットの数であり、ｒは、第２の周波数帯域（例えば、６０ＧＨｚ帯域）についてのタイムスロットの数である。第１及び第２の周波数帯域のために異なる時間ウィンドウが使用されるので、周波数帯域についてのタイムスロットの数は、第２の周波数帯域についてのタイムスロットの数とは異なる（即ち、ｑ及びｒは異なる）。
【０１１７】
[0134]図１１は、２つの時間平均化ウィンドウがＰＤのために使用される例を示す。この例では、上述された第２の時間ウィンドウ７０５は、第１の周波数帯域（例えば、２８ＧＨｚ帯域）のために使用され、第３の時間ウィンドウ１１０５は、第２の周波数帯域（例えば、６０ＧＨｚ帯域）のために使用され、それにおいて、第３の時間ウィンドウ１１０５は、第２の時間ウィンドウ７０５よりも短い。例えば、第２の時間ウィンドウ７０５は、約２分の長さを有し得、第３の時間ウィンドウ１１０５は、約１分の長さを有し得る。
【０１１８】
[0135]図１１に示されたように、第３の時間ウィンドウ１１０５は、ｒ個のタイムスロット１１１５（１）〜１１１５（ｒ）に分割される。第２の周波数帯域についてのｒ個の正規化ＰＤ分布１１１０（１）〜１１１０（ｒ）があり、ここで、各正規化ＰＤ分布は、タイムスロット１１１５（１）〜１１１５（ｒ）のうちのそれぞれ１つに対応する。この例では、タイムスロット１１１５（１）〜１１１５（ｒ−１）は、以前のタイムスロットに対応し、タイムスロット１１１５（ｒ）は、将来のタイムスロット５１５（ｐ）及び７１５（ｑ）とほぼ整列された将来のタイムスロットに対応する。
【０１１９】
[0136]この例では、第２の時間ウィンドウ７０５における以前のタイムスロット７１５（１）〜７１５（ｑ−１）の各々についての正規化ＰＤ分布は、タイムスロット中の第１の周波数帯域についての送信シナリオ及び送信電力レベルに基づいて決定され得る。将来のタイムスロット７１５（ｑ）についての正規化ＰＤ分布は、将来のタイムスロット７１５（ｑ）における第１の周波数帯域についての送信電力レベルの関数である。同様に、第３の時間ウィンドウ１１０５における以前のタイムスロット１１１５（１）〜１１１５（ｒ−１）の各々についての正規化ＰＤ分布は、タイムスロット中の第２の周波数帯域についての送信シナリオ及び送信電力レベルに基づいて決定され得る。将来のタイムスロット１１１５（ｒ）についての正規化ＰＤ分布は、将来のタイムスロット１１１５（ｒ）における第２の周波数帯域についての送信電力レベルの関数である。
【０１２０】
[0137]時間平均正規化ＰＤ分布７２０は、上記の方程式（１２）に従って計算され得、それにおいて、時間平均正規化ＰＤ分布は、将来のタイムスロット７１５（ｑ）における第１の周波数帯域についての送信電力レベル及び将来のタイムスロット１１１５（ｒ）における第２の周波数帯域についての送信電力レベルの関数である。
【０１２１】
[0138]この例では、時間平均正規化ＰＤ分布７２０は、第２の時間ウィンドウ７０５に対応する第１の周波数帯域についての時間平均正規化ＰＤ分布と、第３の時間ウィンドウ１１０５に対応する第２の周波数帯域についての時間平均正規化ＰＤ分布との組み合わせである。この点に関して、時間平均ＰＤ分布７２０は、組み合わされた時間平均化されたＰＤ分布と見なされ得る。
【０１２２】
[0139]ワイヤレスデバイス１００がまた第１の技術を使用して信号を送信する例では、時間平均化された正規化ＰＤ分布は、時間平均化された正規化ＳＡＲ分布と組み合わされて、上述された組み合わされた時間平均化された正規化分布を取得し得る。この例では、組み合わされた時間平均化された正規化分布は、将来のタイムスロット５１５（ｐ）における第１の技術についての送信シナリオ及び送信電力レベル、将来のタイムスロット７１５（ｑ）における第１の周波数帯域についての送信シナリオ及び送信電力レベル、並びに将来のタイムスロット１１１５（ｒ）における第２の周波数帯域についての送信シナリオ及び送信電力レベルの関数である。最大許容電力レベルは、（例えば、図１０に例示された方法１０００に従って）組み合わされた時間平均化された正規化分布のピーク値が１以下になることをもたらす送信電力レベルを決定することによって決定され得る。この例では、最大許容電力レベルは、第１の技術についての最大許容電力レベルと、第１の周波数帯域についての最大許容電力レベルと、第２の周波数帯域についての最大許容電力レベルとを含む。将来のタイムスロット５１５（ｐ）、７１５（ｑ）、及び１１１５（ｒ）中に、プロセッサ１１０は、第１の技術についての最大許容電力レベルに従って第１の技術についての送信電力限界を設定し、第１の周波数帯域についての最大許容電力レベルに従って第１の周波数帯域についての送信電力限界を設定し、第２の周波数帯域についての最大許容電力レベルに従って第２の周波数帯域についての送信電力限界を設定する。
【０１２３】
[0140]上記の例では、２つの時間平均化ウィンドウ７０５及び１１０５がＰＤのために使用されるが、アクティブである１０ＧＨｚを上回る異なる周波数帯域の数に応じて、２つよりも多くの時間平均化ウィンドウが使用され得ることが理解されるべきである。一般に、ＰＤのために使用される時間平均化ウィンドウの数は、１０ＧＨｚを上回るアクティブ周波数帯域の数に等しくあり得、ここで、各時間平均化ウィンドウは、アクティブ周波数帯域のうちのそれぞれ１つに対応する。
【０１２４】
[0141]ある特定の態様では、ワイヤレスデバイス１１０は、第１の技術がアクティブでない間、第１及び第２の周波数帯域（例えば、２８ＧＨｚ及び６０ＧＨｚ）において信号を同時に送信し得る。このケースでは、プロセッサ１１０は、第１及び第２の周波数帯域についての最大許容電力レベルを次のように決定し得る。プロセッサは、方程式（１２）に従って時間平均正規化ＰＤ分布を決定し得、それにおいて、時間平均正規化ＰＤ分布は、将来のタイムスロット７１５（ｑ）における第１の周波数帯域についての送信電力レベル及び将来のタイムスロット１１１５（ｒ）における第２の周波数帯域についての送信電力レベルの関数である。この例が図１２に例示されており、それにおいて、ＲＦ曝露遵守のための条件は、時間平均化された正規化ＰＤ分布７２０が１以下であることである。時間平均正規化ＰＤ分布は、第１の技術がこのケースではアクティブでないので、時間平均化された正規化ＳＡＲ分布５２０とこのケースでは組み合わされないことに留意されたい。
【０１２５】
[0142]プロセッサ１１０は次いで、時間平均正規化ＰＤ分布におけるピーク値が１以下になることをもたらす、第１の周波数帯域及び第２の周波数帯域についての送信電力レベルを決定し、決定送信電力レベルを最大許容電力レベルとして使用し得る。この例では、最大許容電力レベルは、第１の周波数帯域についての最大許容電力レベルと、第２の周波数帯域についての最大許容電力レベルとを含む。将来のタイムスロット７１５（ｑ）及び１１１５（ｒ）中に、プロセッサ１１０は、第１の周波数帯域についての最大許容電力レベルに従って第１の周波数帯域についての送信電力限界を設定し、第２の周波数帯域についての最大許容電力レベルに従って第２の周波数帯域についての送信電力限界を設定する。上記の技法は、３つ以上の周波数帯域についての最大許容電力レベルを決定するために、３つ以上の周波数帯域に拡大され得ることが理解されるべきである。
【０１２６】
[0143]いくつかのＲＦ曝露規制は、ＰＤの時間平均化を必要としないことがあるか、又はＰＤについての時間平均化を現在指定していないことがある（それは変更する可能性がある）。これらのケースでは、時間平均化されたＳＡＲ分布は、正規化ＰＤ分布と組み合わされて、ＲＦ曝露遵守が評価され得る。この例が図１３に例示されており、それにおいて、時間平均化された正規化ＳＡＲ分布５２０は、将来のタイムスロット７１５（ｑ）についての正規化ＰＤ分布と組み合わされて、組み合わされた正規化分布９２０が取得される。
【０１２７】
[0144]この例では、プロセッサ１１０は、以下のように第１及び第２の技術についての最大許容電力レベルを決定し得る。プロセッサ１１０は、時間平均化された正規化ＳＡＲ分布５２０を将来のタイムスロット７１５（ｑ）についての正規化ＰＤ分布７１０と組み合わせて、組み合わされた正規化分布９２０を取得し、それにおいて、組み合わされた正規化分布９２０は、将来のタイムスロット５１５（ｐ）における第１の技術についての送信電力レベル及び将来のタイムスロット７１５（ｑ）における第２の技術についての送信電力レベルの関数である。
【０１２８】
[0145]プロセッサ１１０は次いで、正規化分布９２０におけるピーク値が１以下になることをもたらす、第１及び第２の技術についての送信電力レベルを決定し、決定された送信電力レベルを最大許容電力レベルとして使用し得る。この例では、最大許容電力レベルは、第１の技術についての最大許容電力レベルと、第２の技術についての最大許容電力レベルとを含む。将来のタイムスロット５１５（ｐ）及び７１５（ａ）中に、プロセッサ１１０は、第１の技術についての最大許容電力レベルに従って第１の送信機１２０についての送信電力限界を設定し、第２の技術についての最大許容電力レベルに従って第２の送信機１３０の帯域についての送信電力限界を設定する。
【０１２９】
[0146]上述されたタイムスロット５１５（１）〜５１５（ｐ）は長さが等しくあり得るか、又はタイムスロット５１５（１）〜５１５（ｐ）のうちの２つ以上が異なる長さを有し得ることが理解されるべきである。将来のタイムスロット５１５（ｐ）はまた、時間間隔と呼ばれ得、第１の時間ウィンドウ５０５の長さの１０分の１以下の長さを有し得る。一例では、将来のタイムスロット５１５（ｐ）は、約５秒の長さを有し、第１の時間ウィンドウ５０５は、約６分の長さを有する。
【０１３０】
[0147]上述されたタイムスロット７１５（１）〜７１５（ｑ）は長さが等しくあり得るか、又はタイムスロット７１５（１）〜７１５（ｑ）のうちの２つ以上が異なる長さを有し得ることが理解されるべきである。将来のタイムスロット７１５（ｑ）はまた、時間間隔と呼ばれ得、第２の時間ウィンドウ７０５の長さの５分の１以下の長さを有し得る。一例では、将来のタイムスロット７１５（ｑ）は、約５秒の長さを有し、第２の時間ウィンドウ７０５は、約２分の長さを有する。
【０１３１】
[0148]上述されたタイムスロット１１１５（１）〜１１１５（ｒ）は、長さが等しくあり得るか、又はタイムスロット１１１５（１）〜１１１５（ｒ）のうちの２つ以上が異なる長さを有し得ることが理解されるべきである。将来のタイムスロット１１１５（ｒ）はまた、時間間隔と呼ばれ得、第３の時間ウィンドウ１１０５の長さの５分の１以下の長さを有し得る。一例では、将来のタイムスロット１１１５（ｒ）は、約５秒の長さを有し、第３の時間ウィンドウ１１０５は、約１分の長さを有する。
【０１３２】
[0149]第１の時間ウィンドウ５０５は、第２の時間ウィンドウ７０５の長さよりも少なくとも５０パーセント長い長さを有し得る。一例では、第１の時間ウィンドウ５０５は、約６分の長さを有し、第２の時間ウィンドウ７０５は、約２分の長さを有し、それにおいて、第１及び第２の時間ウィンドウの長さは、規制機関によって設定され得る。規制機関によって設定される第１及び第２の時間ウィンドウ５０５及び７０５の長さは、時間と共に変化し得、異なる規制機関の間で異なり得ることが理解されるべきである。上述されたように、規制機関は、送信周波数に依存する時間ウィンドウ、例えば、２８ＧＨｚ帯域では２分の時間ウィンドウ長、及び６０ＧＨｚ帯域では１分の時間ウィンドウ長を定義し得る。そのケースでは、ＳＡＲについて１つの時間ウィンドウと、ＰＤについて２つ以上の時間ウィンドウとがある可能性があり、ＰＤについての各時間ウィンドウは所与の送信周波数帯域に対応することも理解されるべきである。
【０１３３】
[0150]本明細書で使用される場合、「以前のタイムスロット」という用語は、それぞれの将来のタイムスロットより前のタイムスロットを指す。例えば、図５におけるタイムスロット５１５（１）〜５１５（ｐ−１）は、将来のタイムスロット５１５（ｐ）より前の以前のタイムスロットである。
【０１３４】
[0151]本明細書で使用される場合、「将来のタイムスロット」という用語は、それぞれの最大許容電力レベルが決定される時間に関する将来のタイムスロット（即ち、時間間隔又は時間持続時間）を指す。将来のタイムスロットの前に将来のタイムスロットについての最大許容電力レベルを決定することは、将来のタイムスロット中のＲＦ曝露遵守を保証にするのに役立つ。上述された将来のタイムスロット５１５（ｐ）、７１５（ｑ）、及び１１１５（ｒ）は、時間的にほぼ整列しているので、それらは、まとめて１つの将来のタイムスロットと見なされ得る。
【０１３５】
[0152]上述された時間ウィンドウ（例えば、時間ウィンドウ５０５、７０５、及び１１０５）は、移動時間平均化ウィンドウであり得ることが理解されるべきである。このケースでは、各時間ウィンドウは、新しい将来のタイムスロットについての最大許容電力レベルが決定される度に１つのタイムスロットだけシフトされる。例えば、時間ウィンドウ５０５の上記の議論では、タイムスロット５１５（ｐ）は、将来のタイムスロットとして与えられる。次の将来のタイムスロット５１５（ｐ＋１）についての最大許容電力レベルを決定するために、プロセッサ１１０は、タイムスロット５１５（２）〜５１５（ｐ＋１）をカバーするために、１つのタイムスロットだけ時間ウィンドウ５０５をシフトする。最大許容電力レベルの以前の決定における第１のタイムスロット５１５（１）は、時間ウィンドウ５０５からドロップされ、最大許容電力レベルの以前の決定における将来のタイムスロット５１５（ｐ）は、時間ウィンドウ５０５における以前のタイムスロットのうちの最後のタイムスロットになることに留意されたい。
【０１３６】
[0153]上述された第１の通信技術は、ＳＡＲがＲＦ曝露遵守を評価するために使用される複数の通信技術を含み得ることが理解されるべきである。例えば、第１の技術は、ＷＷＡＮ、ＷＬＡＮ、Ｂｌｕｅｔｏｏｔｈ（登録商標）、等を含み得る。この点に関して、第１の送信機１２０は複数の送信機を含み得ることが理解されるべきである。また、ＳＡＲは、複数のサブ６ＧＨｚ通信技術（例えば、ＷＷＡＮ、ＷＬＡＮ、及びＢｌｕｅｔｏｏｔｈの同時送信）からの寄与を有し得ることが理解されるべきである。
【０１３７】
[0154]上述された第２の通信技術は、ＰＤがＲＦ曝露遵守を評価するために使用される複数の通信技術を含み得ることが理解されるべきである。例えば、第２の技術は、ｍｍＷａｖｅ／５Ｇ及びｍｍＷａｖｅ／８０２．１１ａｄを含み得る。この点に関して、第２の送信機１３０は複数の送信機を含み得ることが理解されるべきである。また、ＰＤは、複数の通信技術（例えば、ｍｍＷａｖｅ／５Ｇ及びｍｍＷａｖｅ／８０２．１１ａｄの同時送信）からの寄与を有し得ることが理解されるべきである。
【０１３８】
[0155]上記の例のうちのいくつかでは、正規化分布が１と比較されて、ＲＦ曝露遵守が評価される。しかしながら、本開示はこれらの例に限定されないことが理解されるべきである。例えば、分布（例えば、ＳＡＲ分布、ＰＤ分布、組み合わされたＲＦ曝露分布、等）は、１以外の限界値がＲＦ曝露遵守のための条件を定義するために使用され得るように、任意の値に対して正規化され得る。この例では、ＲＦ遵守のための条件は、正規化分布が限界値以下であることである。また、上述されたように、限界値は、１未満の値に設定され得る。
【０１３９】
[0156]上述されたように、プロセッサ１１０は、（例えば、本明細書で説明される方法のうちのいずれかに従って）将来のタイムスロットについての送信機（例えば、第１の送信機１２０又は第２の送信機１３０）についての最大許容電力レベルを決定し、決定された最大許容電力レベルに基づいて送信機についての送信電力限界を設定し得る。ある特定の態様では、決定された最大許容電力レベルに基づいて送信電力限界を設定することは、送信機の電力レベルが将来のタイムスロット中の任意の時点で最大許容電力レベルを超えることを防ぐ。ある特定の態様では、決定された最大許容電力レベルに基づいて送信電力限界を設定することは、将来のタイムスロットにわたる送信機の電力レベルの時間平均が最大許容電力レベルを超えることを防ぐ。これは、将来のタイムスロットにわたる電力レベルの時間平均が最大許容電力レベルを超えない限り、電力レベルが将来のタイムスロット内の最大許容電力レベルを一時的に超えることを可能にする。これらの態様では、電力レベルは、将来のタイムスロットよりも短い時間間隔にわたって最大許容電力レベルを超え得る。これらの態様では、最大許容電力レベルは、将来のタイムスロットにわたる最大許容時間平均電力レベルである。
【０１４０】
[0157]図１４は、本開示のある特定の態様に係る、ワイヤレスデバイス（例えば、ワイヤレスデバイス１００）においてインプリメントされる例証的な方法１４００を例示する。
【０１４１】
[0158]ブロック１４１０において、第１のワイヤレス通信技術についての比吸収率（ＳＡＲ）分布が決定される。例えば、ＳＡＲ分布は、時間平均化ウィンドウ（例えば、時間ウィンドウ５０５）に対応する時間平均化されたＳＡＲ分布を備え得る。第１のワイヤレス通信技術は、以下のうちの１つ以上を含み得る：ＷＷＡＮ、ＷＬＡＮ、３Ｇ、４Ｇ、Ｂｌｕｅｔｏｏｔｈ、等。
【０１４２】
[0159]ブロック１４２０において、第２のワイヤレス通信技術についての電力密度（ＰＤ）分布が決定される。例えば、ＰＤ分布は、１つ以上の時間平均化ウィンドウ（例えば、時間ウィンドウ７０５及び／又は１１０５）に対応する時間平均化されたＰＤ分布を備え得る。第２のワイヤレス通信技術は、以下のうちの１つ以上を含み得る：５Ｇ、ＩＥＥＥ８０２．１１ａｄ、等。
【０１４３】
[0160]ブロック１４３０において、ＳＡＲ分布とＰＤ分布とが組み合わされて、組み合わされたＲＦ曝露分布が生成される。
【０１４４】
[0161]ブロック１４４０において、将来のタイムスロットについての少なくとも１つの第１の最大許容電力レベル及び少なくとも１つの第２の最大許容電力レベルが、組み合わされたＲＦ曝露分布に基づいて決定される。例えば、組み合わされたＲＦ曝露分布は、将来のタイムスロットにおける送信電力レベルの関数であり得る。この例では、少なくとも１つの第１の最大許容電力レベル及び少なくとも１つの第２の最大許容電力レベルは、組み合わされたＲＦ曝露分布のピーク値がＲＦ曝露遵守を保証する限界値（例えば、１の限界値）以下になることをもたらす送信電力レベルについての電力レベルを決定することによって決定され得る。
【０１４５】
[0162]ブロック１４５０において、将来のタイムスロットにおける第１の送信機についての少なくとも１つの送信電力限界が、少なくとも１つの第１の最大許容電力レベルに基づいて設定される。少なくとも１つの第１の最大許容電力レベルに基づいて第１の送信機（例えば、第１の送信機１２０）についての少なくとも送信電力限界を設定することは、将来のタイムスロットにおける第１の送信機の送信電力レベルを少なくとも１つの第１の最大許容電力レベルに制限し得るか、又は将来のタイムスロットにわたる第１の送信機の時間平均化された送信電力レベルを少なくとも１つの第１の最大許容電力レベルに制限し得る。
【０１４６】
[0163]ブロック１４６０において、将来のタイムスロットにおける第２の送信機についての少なくとも１つの送信電力限界が、少なくとも１つの第２の最大許容電力レベルに基づいて設定される。少なくとも１つの第２の最大許容電力レベルに基づいて第２の送信機（例えば、第２の送信機１３０）についての少なくとも送信電力限界を設定することは、将来のタイムスロットにおける第２の送信機の送信電力レベルを少なくとも１つの第２の最大許容電力レベルに制限し得るか、又は将来のタイムスロットにわたる第２の送信機の時間平均化された送信電力レベルを少なくとも１つの第２の最大許容電力レベルに制限し得る。
【０１４７】
[0164]方法１４００は、図１４に示された例証的な順序に限定されないことが理解されるべきである。例えば、ブロック１４２０はブロック１４１０の前に実行され得るか、又はブロック１４１０と１４２０との両方が同時に実行され得る。また、ブロック１４６０はブロック１４５０の前に実行され得るか、又はブロック１４５０と１４６０との両方が同時に実行され得る。
【０１４８】
[0165]図９を参照して上述された例証的な時間平均化アプローチでは、プロセッサ１１０は、第１の時間ウィンドウ５０５にわたる第１の技術についての時間平均化されたＳＡＲ分布５０５を決定し、第２の時間ウィンドウ７０５にわたる第２の技術についての時間平均化されたＰＤ分布７０５を決定し、それにおいて、第１の時間ウィンドウ５０５と第２の時間ウィンドウ７０５とは、異なる時間持続時間（即ち、異なる長さ）を有する。プロセッサ１１０は次いで、時間平均化されたＳＡＲ分布５０５と時間平均化されたＰＤ分布７０５とを組み合わせて、組み合わされた時間平均化された分布９２０を取得し、組み合わされた時間平均化された分布９２０に基づいて、将来のタイムスロットについての第１の技術についての最大許容電力レベル及び第２の技術についての最大許容電力レベルを決定する。プロセッサ１１０は、Δｔ秒毎にこの決定を行い得、ここで、Δｔ秒（例えば、５秒）は、１つのタイムスロットの時間持続時間である。このケースでは、プロセッサ１１０は、Δｔ秒（例えば、５秒）毎に第１の技術についての最大許容電力レベル及び第２の技術についての最大許容電力レベルを更新し、第１の時間ウィンドウ５０５及び第２の時間ウィンドウ７０５は、上述されたように、移動時間平均化ウィンドウである。図９に示された例では、同じタイムスロット時間（例えば５秒）が、第１の技術及び第２の技術のために使用される。
【０１４９】
[0166]将来のタイムスロットにおける各技術についての最大ピーク対平均比（ＰＡＲ）は、以下によって与えられ得る：
【数１７】
2021529469.tif 000019
ここで、ＰＡＲmaxは、最大許容ＰＡＲであり、ｔｉｍｅ＿ｗｉｎｄｏｗは、それぞれの時間平均化ウィンドウ（例えば、第１の技術についての第１の時間ウィンドウ５０５及び第２の技術についての第２の時間ウィンドウ７０５）の時間持続時間であり、Δｔは、将来のタイムスロットの時間持続時間である。ここで、将来のタイムスロットにおける各技術についての平均送信電力レベルは、将来のタイムスロットについて決定されたそれぞれの最大許容電力レベルによって与えられる。
【０１５０】
[0167]例えば、第１の技術についての第１の時間ウィンドウ５０５が１００秒であり、Δｔが５秒である場合、第１の技術についての最大許容ＰＡＲは、２０ｄＢに等しい。第２の技術についての第２の時間ウィンドウ７０５が３０秒であり、Δｔが５秒である場合、第２の技術についての最大許容ＰＡＲは、７．８ｄＢに等しい。これに伴う問題は、高いＰＡＲが第２の技術（例えば、ｍｍＷａｖｅ通信）に必要とされ得ることである。例えば、ｍｍＷａｖｅ通信の場合、平均送信電力は、約８ｄＢｍであり得、２３ｄＢｍを超える送信電力が、セルエッジにおいて無線リンクを維持するために必要とされ得、それは、１５ｄＢを超えるＰＡＲに変換される。
【０１５１】
[0168]ある技術（例えば、第２の技術）についての最大ＰＡＲは、Δｔ（即ち、１つのタイムスロットの時間持続時間）を減少させることによって増大され得る。Δｔを減少させることは、プロセッサ１１０に、第１の技術についての最大許容電力レベル及び第２の技術についての最大許容電力レベルをより頻繁に更新させ、それは、両方の技術でより多くの計算リソースを消費する。しかしながら、ある１つの技術（例えば、第２の技術）に対するＰＡＲ要件を満たすためにΔｔを減少させることは、そのＰＡＲ要件を既に満たしている別の技術（例えば、第１の技術）には必要とされないことがある。このケースでは、Δｔ（即ち、１つのタイムスロットの時間持続時間）を減少させることは、他の技術（例えば、第１の技術）についての計算リソースの不必要な増大をもたらす。
【０１５２】
[0169]これに対処するために、本開示の態様は、以下で更に議論されるように、依然として総ＲＦ曝露遵守を満たしながら、異なる技術についての最大許容電力レベルが異なるレートで更新されることを可能にする。
【０１５３】
[0170]ある特定の態様では、第２の技術についての最大許容電力レベルは、第１の技術についての計算負荷の増大を必要とすることなく第２の技術についての最大許容ＰＡＲを増大させるために、第１の技術よりも小さい時間間隔で更新される。これらの態様では、第２の技術についての将来のタイムスロット７１５（ｑ）は、図１５に示されたように、より小さいタイムスロット１５１５（１）〜１５１５（Ｎ）に更に分割（区分化）される。プロセッサ１１０は、以下で更に議論されるように、より小さいタイムスロット１５１５（１）〜１５１５（Ｎ）の各々についての正規化ＰＤ分布１５２０（１）〜１５２０（Ｎ）を決定し得る。以下の説明では、より小さいタイムスロット１５１５（１）〜１５１５（Ｎ）は、議論を容易にするためにサブタイムスロットと呼ばれる。
【０１５４】
[0171]これらの態様では、プロセッサ１１０は、外側ループ中の将来のタイムスロット７１５（ｑ）についての最大許容電力レベルを決定する。外側ループでは、プロセッサ１１０は、総ＲＦ曝露遵守を保証するために、上述されたように、組み合わされた時間平均化されたＲＦ曝露分布９２０に基づいて、将来のタイムスロット７１５（ｑ）についての最大許容電力レベルを決定する。プロセッサ１１０は、上述されたように、Δｔ秒（即ち、１つのタイムスロットの持続時間）毎に将来のタイムスロット７１５（ｑ）についての最大許容電力レベルを更新する。例えば、１つのタイムスロットの持続時間が５秒である場合、プロセッサ１１０は、５秒毎に将来のタイムスロット７１５（ｑ）についての最大許容電力レベルを決定する。同じタイムスロット期間が、総ＲＦ曝露遵守を満たすために、外側ループ中で第１の技術及び第２の技術のために使用されることに留意されたい。外側ループの動作は、図９を参照してある特定の態様に従ってより詳細に上述された。
【０１５５】
[0172]内側ループでは、プロセッサ１１０は、Δｔ／Ｎ秒当たり約１のレートで一度に１つずつサブタイムスロット１５１５（１）〜１５１５（Ｎ）についての最大許容電力レベルを決定し、ここで、Ｎは、将来のタイムスロット７１５（ｑ）におけるサブタイムスロットの数であり、Δｔは、将来のタイムスロット７１５（ｑ）の時間持続時間である。例えば、Ｎが５０に等しく、Δｔが５秒に等しい場合、プロセッサ１１０は、約１００ミリ秒毎にサブタイムスロット１５１５（１）〜１５１５（Ｎ）のうちの１つについての最大許容電力レベルを決定する。このことから、内側ループは、更新レートをＮ倍に増大させる。より高い更新レートは、上述されたように、第２の技術（例えば、ｍｍＷａｖｅ通信）についてのＰＡＲを増大させる。
【０１５６】
[0173]内側ループについて、プロセッサ１１０は、外側ループ中の将来のタイムスロット７１５（ｑ）について計算された正規化ＰＤ分布を、内側ループについての正規化ＰＤ限界として使用し得る。例えば、上述された方程式（１１）では、将来のタイムスロット７１５（ｑ）についての正規化ＰＤ分布は、ＰＤnorm_qによって与えられ、それは、将来のタイムスロット７１５（ｑ）について決定された最大許容電力レベルによってスケーリングされ得る。
【０１５７】
[0174]内側ループでは、プロセッサ１１０は、以下に基づいてｎ番目のサブタイムスロットについての最大許容電力レベルを決定し得る：
【数１８】
2021529469.tif 000020
ここで、Ｎは、サブタイムスロット１５１５（１）〜１５１５（Ｎ）の総数であり、ｉは、サブタイムスロットについてのインデックスであり、ＰＤnorm_iは、ｉ番目のサブタイムスロットについての正規化ＰＤ分布であり、ＰＤnorm_nは、ｎ番目のサブタイムスロットについての正規化ＰＤ分布であり、ＰＤnorm_limは、内側ループについてのＰＤ限界である。内側ループについてのＰＤ限界は、上述されたように、外側ループ中の将来のタイムスロット７１５（ｑ）について計算された正規化ＰＤ分布によって与えられ得る。
【０１５８】
[0175]方程式（１４）では、サブタイムスロット１５１５（１）〜１５１５（ｎ−１）は、サブタイムスロット１５１５（ｎ）に対して過去の（即ち、サブタイムスロット１５１５（ｎ）より時間的に前の）サブタイムスロットであり、従って、第２の送信機１３０による以前の送信に対応する。サブタイムスロット１５１５（ｎ）は、サブタイムスロット１５１５（１）〜１５１５（ｎ−１）に対する将来のサブタイムスロットと見なされ得る。サブタイムスロット１５１５（１）〜１５１５（ｎ−１）は以前の送信に対応するので、プロセッサ１１０は、サブタイムスロット１５１５（１）〜１５１５（ｎ−１）についての以前の送信電力レベルに基づいて、方程式（１４）におけるサブタイムスロット１５１５（１）〜１５１５（ｎ−１）についての正規化ＰＤ分布を決定することができる。例えば、プロセッサ１１０は、サブタイムスロット１５１５（１）〜１５１５（ｎ−１）についての送信電力レベルを記録し、記録された送信電力レベルを使用して、サブタイムスロット１５１５（１）〜１５１５（ｎ−１）についての正規化ＰＤ分布を決定し得る。
【０１５９】
[0176]プロセッサ１１０は次いで、方程式（１４）の左辺上の式がＰＤnorm_lim以下である（即ち、条件≦ＰＤnorm_limを満たす）ように、サブタイムスロット１５１５（ｎ）についての送信電力レベルを決定し得る。例えば、プロセッサ１１０は、左辺の式におけるピーク値がＰＤnorm_limにおけるピーク値以下である場合に条件が満たされていると判断し得る。プロセッサ１１０は次いで、サブタイムスロット１５１５（ｎ）についての決定された送信電力レベルを、サブタイムスロット１５１５（ｎ）についての最大許容電力レベルとして使用し得る。この点に関して、プロセッサ１１０は、サブタイムスロット１５１５（ｎ）中の第２の送信機１３０の送信電力レベルがサブタイムスロット１５１５（ｎ）についての最大許容電力レベルによって制約されるように、サブタイムスロット１５１５（ｎ）についての最大許容電力レベルに基づいて第２の送信機１３０についての送信電力限界を設定し得る。
【０１６０】
[0177]プロセッサ１１０は、（例えば、最大許容電力レベルに基づいて第２の送信機１３０の送信電力限界を設定することによって）サブタイムスロット１５１５（ｎ）についての最大許容電力レベルを実施するために、最大許容電力レベルが時間内に準備されるように、サブタイムスロット１５１５（ｎ）の開始前にサブタイムスロット１５１５（ｎ）についての最大許容電力レベルを決定し得る。このことから、プロセッサ１１０がサブタイムスロット１５１５（ｎ）についての最大許容電力レベルを決定するとき、サブタイムスロット１５１５（ｎ）は、将来のサブタイムスロットと見なされ得る。
【０１６１】
[0178]プロセッサ１１０は、方程式（１４）に基づいて各サブタイムスロット１５１５（１）〜１５１５（Ｎ）についての最大許容電力レベルを決定し得、方程式（１４）において、第１のサブタイムスロット１５１５（１）についてはｎが１であり、最後のサブタイムスロット１５１５（Ｎ）についてはｎがＮである。方程式（１４）では、左辺上の式は、Ｎで除算されたサブタイムスロット１５１５（１）〜１５１５（ｎ）についての正規化ＰＤ分布の組み合わせによって与えられる累積平均である。外側ループ中の将来のタイムスロット７１５（ｑ）の時間持続時間が５秒であり、１つのサブタイムスロットの時間持続時間が１００ミリ秒である例では、Ｎは、５０に等しい。累積平均は、ｎが最初のサブタイムスロットについての１から最後のサブタイムスロットについてのＮまで増大するにつれて（即ち、プロセッサ１１０がサブタイムスロット１５１５（１）から１５１５（Ｎ）まで進行するにつれて）、より多くのサブタイムスロットを累積することに留意されたい。
【０１６２】
[0179]このことから、プロセッサ１１０は、外側ループよりも高いレートで第２の技術についての最大許容電力レベルを更新するために（即ち、Δｔ／Ｎ秒毎に第２の技術についての最大許容電力レベルを更新するために）、内側ループ中で上記の動作を実行し得る。プロセッサ１１０は、第１の技術についての更新レートを増大させる必要なく、及びこのことから、第１の技術についての計算負荷を増大させる必要なく、これを達成することができる。例えば、外側ループ中の１つのタイムスロットの時間持続時間が５秒であり、内側ループ中の１つのサブタイムスロットの時間持続時間が１００ミリ秒である場合、第１の技術についての最大許容電力レベルは、５秒毎に更新され、第２の技術についての最大許容電力レベルは、１００ミリ秒毎に更新される。このことから、プロセッサ１１０は、第１の技術及び第２の技術についての最大許容電力レベルを異なるレート（即ち、更新間の異なる時間間隔）で更新することが可能である。
【０１６３】
[0180]内側ループ中のサブタイムスロット１５１５（１）〜１５１５（Ｎ）についての最大許容電力レベルを決定するための追加の例が、本開示のある特定の態様に従ってここで議論される。
【０１６４】
[0181]図１６は、外側ループ中の将来のタイムスロット７１５（ｑ）に対応する内側ループについての時間平均化ウィンドウ１６０５を例示する。時間平均化ウィンドウ１６０５の持続時間は、外側ループ中の１つのタイムスロットの持続時間（「Ｔ１」とラベル付けされる）に等しい。時間平均化ウィンドウ１６０５は、外側ループ中の将来のタイムスロット７１５（ｑ）と時間的に整列され得る。一例では、外側ループ中の１つのタイムスロットの持続時間Ｔ１は、０．５秒に等しい（即ち、Ｔ１＝０．５秒）。時間平均化ウィンドウ１６０５は、Ｎ個のサブタイムスロットを含み、ここで、各サブタイムスロットの持続時間は、Ｔ１／Ｎ（「Ｔ２」とラベル付けされる）に等しい。一例では、Ｎは、５０に等しく、Ｔ１、は０．５秒に等しい。この例では、内側ループ中の１つのサブタイムスロットの持続時間は、１０ｍｓに等しい（即ち、Ｔ２＝１０ｍｓ）。
【０１６５】
[0182]図１６における例では、内側ループは、時間平均化ウィンドウ１６０５についての外側ループからＰＤ限界（「ＰＤlim」とラベル付けされる）を受信する。ＰＤ限界は、上述された将来のタイムスロット７１５（ｑ）について決定された正規化ＰＤ分布ＰＤnorm_limにおけるピークＰＤ値に対応し得る。図１６における例では、ＰＤ限界は、１より大きい。これは、外側ループが、複数のタイムスロット７１５（１）〜７１５（ｑ）を含む時間平均化ウィンドウ７０５にわたってＲＦ曝露遵守を決定するので可能である。これは、ＰＤ限界が、外側ループ中の時間平均化ウィンドウ７０５にわたる平均ＲＦ曝露がＲＦ曝露遵守を満たす限り、１を超えることを可能にする。一般に、外側ループからのＰＤ限界は、１より大きいことも小さいこともある。
【０１６６】
[0183]図１６は、最大許容電力レベルが時間平均化ウィンドウ１６０５内のサブタイムスロット１６２０について決定されている時点を示す。図１６は、サブタイムスロット１６２０に先行する時間平均化ウィンドウ１６０５内のサブタイムスロット（以下では過去のサブタイムスロットと呼ばれる）についてのＰＤ（例えば、ピークＰＤ値）を示す。過去のサブタイムスロットは、図１６に示される時点に関する過去の送信に対応する。時間平均化ウィンドウ１６０５内のサブタイムスロット１６２０に後続するサブタイムスロットについてのＰＤは、これらのサブタイムスロットが図１６に示される時点に関する将来の送信に対応するので、図１６に示されない。
【０１６７】
[0184]この例では、ＰＤ限界は、時間平均化ウィンドウ１６０５にわたって平均化されたＰＤがＰＤ限界以下であるときに満たされる。グラフでは、この条件は、時間平均化ウィンドウ１６０５全体にわたるＰＤ曲線１６１０の下の領域が、時間平均化ウィンドウ１６０５全体にわたるＰＤ限界線１６３０の下の領域以下であるときに満たされる。
【０１６８】
[0185]ある特定の態様では、プロセッサ１１０は、以下に基づいて、時間平均化ウィンドウ１６０５内のｉ番目のサブタイムスロットについての最大許容電力レベルを決定し得る：
【数１９】
2021529469.tif 000021
ここで、ＰＤallowed,iは、時間平均化ウィンドウ１６０５内のｉ番目のサブタイムスロットについての許容ＰＤ（例えば、許容ピークＰＤ値）であり、式Ｎ・ＰＤlimは、時間平均化ウィンドウ１６０５についてのＰＤ割り振りであり、ＰＤRは、予約されたＰＤであり、合計項は、時間平均化ウィンドウ１６０５内の過去のサブタイムスロットのＰＤを合計する。方程式（１５）は、以下の同等の方程式に書き換えられることができる：
【数２０】
2021529469.tif 000022
【０１６９】
[0186]方程式（１５）では、過去のサブタイムスロットのＰＤの合計は、既に使い切られた時間平均化ウィンドウ１６０５についてのＰＤ割り振りの一部分を表す。過去のサブタイムスロットは、時間平均化ウィンドウ１６０５における第１のサブタイムスロットからｉ番目−１のサブタイムスロットまでを含む。既に使い切られたＰＤ割り振りの一部分は、ｉ番目のサブタイムスロットのために利用可能ではないので、既に使い切られたＰＤ割り振りの一部分は、時間平均化ウィンドウ１６０５についてのＰＤ割り振りから減算される。
【０１７０】
[0187]項（Ｎ−ｉ）・ＰＤRは、将来のサブタイムスロット（即ち、ｉ番目のサブタイムスロットの後の時間平均化ウィンドウ１６０５内のサブタイムスロット）のために予約される時間平均化ウィンドウ１６０５についてのＰＤ割り振りの一部分を表す。予約されたＰＤRは、ｉ番目のサブタイムスロットの後の将来のサブタイムスロットの数である（Ｎ−ｉ）で乗算される。将来のサブタイムスロットのために予約されたＰＤ割り振りの一部分は、ｉ番目のサブタイムスロットのために利用可能でないので、将来のサブタイムスロットのために予約されたＰＤ割り振りの一部分は、時間平均化ウィンドウ１６０５についてのＰＤ割り振りから減算される。ある特定の態様では、予約されたＰＤRは、以下によって与えられる：
【数２１】
2021529469.tif 000023
ここで、ＰＤ＿ｒｅｓｅｒｖｅ＿ｒａｔｉｏは、予約比である。このことから、将来のサブタイムスロットのために予約されるＰＤ割り振りの一部分は、予約比を設定することによって設定され得る。予約比を設定するためのファクタの例は、ある特定の態様に従って以下で更に議論される。
【０１７１】
[0188]このことから、ｉ番目のサブタイムスロットについての許容ＰＤを決定するとき、プロセッサ１１０は、過去のサブタイムスロットによって既に使い切られた時間平均化ウィンドウ１６０５についてのＰＤ割り振りの一部分を考慮に入れる。プロセッサ１１０はまた、将来のサブタイムスロットのために残りのＰＤ割り振りの一部分を予約する。図１７は、過去のサブタイムスロット１７１０によって既に使い切られたＰＤ割り振りの一部分、ｉ番目のサブタイムスロット１７２０についての許容ＰＤ、及び将来のサブタイムスロット１７３０のために予約された残りのＰＤ割り振りの一部分のグラフ表示を示す。図１７では、時間平均化ウィンドウ１６０５についてのＰＤ割り振りは、ＰＤ限界線１６３０の下の領域によって表される。
【０１７２】
[0189]上述されたように、プロセッサ１１０は、予約比を設定することによって、将来のサブタイムスロットのために予約されるＰＤ割り振りの一部分を設定し得る。一例では、プロセッサ１１０は、ワイヤレスデバイス１００（例えば、モバイルワイヤレスデバイス）と、ワイヤレスデバイス１００からの送信を受信する別のワイヤレスデバイス（例えば、基地局）との間のチャネル状態に基づいて予約比を設定し得る。例えば、チャネル状態が良い（例えば、ワイヤレスデバイス間の干渉が低い及び／又は距離が短い）場合、プロセッサ１１０は、時間平均化ウィンドウ１６０５にわたって送信電力をより均一に分散させるために、予約比をより高く設定し得る。このケースでは、送信電力を分散することは、より高いスループットをもたらし得る。予約比をより高く設定することは、将来のサブタイムスロットのためにＰＤ割り振りのより大きい部分を予約することによって、送信電力をより均等に分散させる。
【０１７３】
[0190]チャネル状態が悪い（例えば、ワイヤレスデバイス間の干渉が高い及び／又は距離が長い）場合、プロセッサ１１０は、予約比をより低く設定し得る。予約比をより低く設定することは、将来のサブタイムスロットのために予約されるＰＤ割り振りの一部分を低減する。これは、将来のサブタイムスロットのために予約されたＰＤ割り振りの一部分によって課される現在のサブタイムスロットについての送信電力に対する制約を緩和し、送信機１３０が現在のサブタイムスロットについてのより高い電力で送信することを可能にする。このケースでは、ワイヤレスデバイス１００から送信されたデータが他のワイヤレスデバイスによって成功裏に受信されることを保証するために、より高い電力で（例えば、短いバーストで）送信することが必要であり得る。
【０１７４】
[0191]別の例では、プロセッサ１１０は、データトラフィックパターンに基づいて予約比を設定し得る。例えば、ワイヤレスデバイス１００が時間平均化ウィンドウ１６０５の終わりに向かってデータを送信するようにスケジュールされている場合、プロセッサ１１０は、スケジュールされたデータ送信のために十分な量のＰＤ割り振りを予約するために、予約比をより高く設定し得る。これは、送信機１３０が、スケジュールされたデータ送信の前にＰＤ割り振りの全部又は大部分を使い切ってしまい、スケジュールされたデータ送信のために十分なＰＤ割り振りを残さないことを防ぐのに役立ち得る。別の例では、ワイヤレスデバイス１００が、時間平均化ウィンドウ１６０５の残りについての他のスケジュールされたデータ送信を伴わずに、時間平均化ウィンドウ１６０５の開始に向かって短い持続時間にわたってデータを送信するようにスケジュールされる場合、プロセッサ１１０は、別のデータ送信のためにＰＤ割り振りの一部分を予約することがこの例では必要でないことがあるので、予約比をより低く設定し得る。別の例では、プロセッサ１１０は、過去の送信及び／又は上位レイヤ情報に基づいて将来の送信及び／又は周波数を予測し得る。プロセッサ１１０は次いで、予測された将来の送信及び／又は周波数に基づいて予約比を設定し得る。例えば、データパケット（例えば、ある特定のサイズのデータパケット）が過去にある特定の時間間隔で送信された場合、プロセッサ１１０は、この情報を使用して、データパケットが将来の時間間隔で送信されることを予測し、それに応じて予約比を設定（例えば、時間平均化ウィンドウ１６０５内での予測されたデータパケット送信のために十分な予約を提供するように予約比を設定）し得る。
【０１７５】
[0192]プロセッサ１１０は、（例えば、方程式（１５）に基づいて）内側ループについての時間平均化ウィンドウ１６０５内のサブタイムスロットの各々についての許容ＰＤを決定し得る。第１のサブタイムスロットについては、第１のサブタイムスロットに先行するサブタイムスロットが時間平均化ウィンドウ１６０５内にないので、使い切られたＰＤ割り振りの一部分は０である。最後のサブタイムスロットについては、最後のサブタイムスロットの後のサブタイムスロットが時間平均化ウィンドウ１６０５内にないので、将来のサブタイムスロットのために予約されたＰＤ割り振りの一部分は０である。各サブタイムスロットについての許容ＰＤを決定した後、プロセッサ１１０は、サブタイムスロットについての最大許容電力レベルを決定し、決定された最大許容電力レベルに基づいてサブタイムスロットについての送信機１３０の送信電力限界を設定し得る。
【０１７６】
[0193]ある特定の態様では、プロセッサ１１０は、表を使用して、サブタイムスロットについての許容ＰＤに基づいて、サブタイムスロットについての最大許容電力レベルを決定し得る。この点に関して、図１８は、サブタイムスロットについての許容ＰＤを最大許容電力レベルに変換するための表１８１０の例を示す。表１８１０は、メモリ１１５中に記憶され得る。
【０１７７】
[0194]この例では、表１８１０は、送信機１３０についてのｎ個の異なる送信シナリオについてのインデックスを含む。ｎ個の送信シナリオは、異なるビーム、ワイヤレスデバイス１００に対する異なるユーザ位置、等に対応し得る。表１８１０中の各送信シナリオについて、表１８１０は、（「Ｔｘ1」〜「Ｔｘn」とラベル付けされた）基準ＰＤにおける対応する送信電力レベルを含む。基準ＰＤにおける異なる送信シナリオについての送信電力レベルは、ワイヤレスデバイス１１０上でシミュレーション及び／又は測定を実行することによって予め決定され、表１８１０中に予め記憶され得る。
【０１７８】
[0195]対応する許容ＰＤに基づいてサブタイムスロットについての最大許容電力レベルを決定するために、プロセッサ１１０は、サブタイムスロットについての送信シナリオを決定し、決定された送信シナリオに対応する表１８１０中の送信電力レベルを取り出し得る。例えば、表１８１０中の送信シナリオが異なるビームに対応する場合、プロセッサ１１０は、サブタイムスロットについてのビームを決定し、決定されたビームに対応する表１８１０中の送信電力レベルを取り出し得る。
【０１７９】
[0196]表１８１０から送信電力レベルを取り出した後、プロセッサ１１０は、サブタイムスロットについての許容ＰＤと基準ＰＤとに基づいて表１８１０からの送信電力レベルをスケーリングする（例えば、基準ＰＤに対する許容ＰＤの比によって表１８１０からの送信電力レベルをスケーリングする）ことによって、サブタイムスロットについての最大許容電力レベルを決定し得る。例えば、許容ＰＤが基準ＰＤよりも５０％小さい場合、プロセッサ１１０は、サブタイムスロットについての最大許容電力レベルを取得するために、表１８１０からの送信電力レベルを５０％低減し得る。表１８１０中の送信電力レベルがデシベル（ｄＢ）単位である場合、最大許容電力レベルは、この例では、表１８１０中の送信電力から３ｄＢを減算することによって取得される。このことから、任意の許容ＰＤについての最大許容電力レベルは、許容ＰＤ及び基準ＰＤに基づいて表１８１０中の送信電力レベルをスケーリングすることによって取得され得る。これは、上述されたように、ＰＤが送信電力でスケーリングするので可能である。
【０１８０】
[0197]上述されたように、サブタイムスロットについての許容ＰＤを決定するとき、プロセッサ１１０は、過去のサブタイムスロットによって使い切られたＰＤ割り振りの一部分を考慮に入れ得る。方程式（１５）における例では、過去のサブタイムスロットによって使い切られたＰＤ割り振りの一部分は、過去のサブタイムスロットのＰＤを合計することによって決定される。一例では、過去のサブタイムスロットのＰＤは、過去のサブタイムスロットについて決定された許容ＰＤに対応し得る。別の例では、過去のサブタイムスロットのＰＤは、過去のサブタイムスロットについての実際のＰＤに対応し得る。過去のサブタイムスロットについての実際のＰＤは、過去のサブタイムスロット中に使用された実際の送信電力レベルに対応するＰＤであり得、それは、過去のサブタイムスロットについて決定された最大許容電力レベル以下であり得る。この例では、プロセッサ１１０は、過去のサブタイムスロットのために使用された実際の送信電力レベルを記録し、過去のサブタイムスロットについての実際の送信電力レベルに基づいて、過去のサブタイムスロットについての実際のＰＤを決定し得る。
【０１８１】
[0198]本開示は１つの内側ループに限定されないことが理解されるべきである。例えば、プロセッサ１１０は、第１の内側ループと第２の内側ループとを含む２つの内側ループを使用して最大許容電力レベルを決定し得る。この例では、上述された内側ループは、第１の内側ループに対応し得、それは、外側ループから将来のタイムスロット７１５（ｑ）についてのＰＤ限界を受信し、ＰＤが将来のタイムスロットにわたって平均化されるときに外側ループからのＰＤ限界が満たされるように、サブタイムスロットにおける将来のタイムスロット内のＰＤを調整する。
【０１８２】
[0199]この例では、第２の内側ループは、第１の内側ループの下にある。第２の内側ループは、第１の内側ループ中の各サブタイムスロットをより小さいサブタイムスロットに区分化する。第１の内側ループの各サブタイムスロットについて、第２の内側ループは、第１の内側ループからＰＤ限界（例えば、内側ループのサブタイムスロットについての許容ＰＤ）を受信し、ＰＤ限界が満たされるように、サブタイムスロット内の最大許容電力レベルを調整する。第１の内側ループのサブタイムスロット内で、第２の内側ループは、（例えば、ＰＤ限界が第１の内側ループによって提供される方程式（１５）に基づいて）第１の内側ループのサブタイムスロット内の第２の内側ループの各サブタイムスロットについての最大許容電力レベルを決定する。この例では、最大許容電力レベルは、第２の内側ループの各サブタイムスロットについて決定される。
【０１８３】
[0200]ある特定の態様では、プロセッサ１１０は、異なるレートにおける異なるサブ６ＧＨｚ技術についての最大許容電力レベルを決定するために、上述された技法のうちのいずれかを使用し得る。例えば、プロセッサ１１０は、１００ミリ秒毎にＬＴＥについての最大許容電力レベルを更新し得るが、技術がどれほど高頻度で又は低頻度で変化するかに応じて、５秒毎にＧＳＭ（登録商標）についての最大許容電力レベルを更新し得る。この例では、プロセッサ１１０は、外側ループ中で５秒毎にＬＴＥについての最大許容電力レベルとＧＳＭについての最大許容電力レベルとを決定し得る。ＬＴＥの場合、プロセッサ１１０は、外側ループ中の将来のタイムスロットをサブタイムスロット（例えば、５０個のサブタイムスロット）に更に分割し、内側ループ中の各サブタイムスロットについての最大許容電力レベルを決定し得る。プロセッサ１１０は、内側ループ中の各サブタイムスロットについての最大許容電力レベルを決定するために、外側ループ中の将来のタイムスロットについての正規化ＳＡＲ分布を、内側ループ中の正規化ＳＡＲ限界として使用し得る。
【０１８４】
[0201]ある特定の態様では、上述された技法は、２つよりも多くの異なる時間間隔を実行する（即ち、２つよりも多くの異なる更新レートで異なる技術についての最大許容電力レベルを更新する）ように拡張され得る。これを行うために、プロセッサ１１０は、各内側ループ中の１つのサブタイムスロットの持続時間が異なる、異なる技術についての異なる内側ループを実行し得る。この例では、各内側ループについての１つのサブタイムスロットの持続時間は、対応する技術についての所望される時間間隔（即ち、更新レート）に基づいて選ばれ得る。いくつかのケースでは、各技術は、他の技術とは異なる特定の時間間隔で実行され得る。
【０１８５】
[0202]上述されたように、プロセッサ１１０は、将来のタイムスロットについての技術についての最大許容電力レベルを決定し、決定された最大許容電力レベルに基づいて、対応する送信機（例えば、送信機１２０又は１３０）の送信電力限界を設定し得る。将来のタイムスロットは、外側ループ中の将来のタイムスロット（例えば、５秒の将来のタイムスロット）又は内側ループ中の将来のサブタイムスロット（例えば、１００ミリ秒の将来のサブタイムスロット）であり得る。ある特定の態様では、上述された最大許容電力レベルは、将来のタイムスロットについての最大許容時間平均電力レベルとして使用され、従って、これらの態様では、将来のタイムスロットについての最大許容時間平均電力レベルと見なされ得る。以下の議論では、上述された最大許容電力レベルが、最大許容時間平均電力レベルと呼ばれる。
【０１８６】
[0203]上記の態様では、決定された最大許容時間平均電力レベルに基づいて送信機の送信電力限界を設定することは、将来のタイムスロットにわたる送信機の送信電力レベルの時間平均が最大許容時間平均電力レベルを超えることを防ぐ。将来のタイムスロットにわたる電力レベルの時間平均が最大許容時間平均電力レベルを超えない限り、送信器の瞬時送信電力レベルは、将来のタイムスロット中に最大許容時間平均電力レベルを超えることを可能にされる。
【０１８７】
[0204]上記の例では、将来のタイムスロットについての最大許容時間平均電力レベルは、将来のタイムスロットにわたる送信電力レベルの時間平均が最大許容時間平均電力レベルを超えないように、対応する送信機の最大電力限界を設定するために使用される。
【０１８８】
[0205]ある特定の態様では、プロセッサ１１０は、以下のように、将来のタイムスロットについての最大許容時間平均電力レベルを将来のタイムスロットについての最大許容デューティサイクルに変換し得る：
【数２２】
2021529469.tif 000024
ここで、Ｍａｘ＿ｄｕｔｙ＿ｃｙｃｌｅは、将来のタイムスロットについての最大許容デューティサイクルであり、Ｍａｘ＿ａｖｇ＿Ｐは、将来のタイムスロットについての最大許容時間平均電力レベルであり、Ｐmaxは、最大許容電力レベルである。最大許容電力Ｐmaxは、対応する送信機の最大許容瞬時電力レベル又はピーク電力レベルに対する限界であり得る。最大許容電力Ｐmaxは、規格又は規制機関によって定義され得る。この例では、送信器は、最大許容デューティサイクルにほぼ等しいデューティサイクルで将来のタイムスロット中にＰmaxにほぼ等しい電力レベルで送信し得る。最大デューティサイクルは、０から１の間の値を有し得る。
【０１８９】
[0206]ある特定の態様では、（例えば、上述された方法のうちのいずれかを使用して）将来のタイムスロットについての最大許容時間平均電力レベルを決定した後、プロセッサ１１０は、方程式（１８）に基づいて将来のタイムスロットについての対応する最大許容デューティサイクルを決定し得る。プロセッサ１１０は次いで、決定された最大許容デューティサイクルに基づいて、将来のタイムスロットについての対応する送信機（例えば、送信機１２０又は１３０）の送信デューティサイクル限界を設定し得る。この例では、決定された最大許容デューティサイクルに基づいて送信デューティサイクル限界を設定することは、送信器の送信デューティサイクルが将来のタイムスロットについての最大許容デューティサイクルを超えることを防ぐ。言い換えれば、将来のタイムスロットについての送信器の送信デューティサイクルは、決定された最大許容デューティサイクルによって制約される。
【０１９０】
[0207]ある特定の態様では、プロセッサ１１０は、以下のように、将来のタイムスロットについての最大許容時間平均電力レベルを将来のタイムスロットについての最大許容ピーク電力に変換し得る：
【数２３】
2021529469.tif 000025
ここで、Ｍａｘ＿ｐｅａｋ＿ｐｏｗｅｒは、将来のタイムスロットについての最大許容ピーク電力であり、Ｍａｘ＿ｄｕｔｙ＿ｃｙｃｌｅは、将来のタイムスロットについての最大許容デューティサイクルであり、Ｍａｘ＿ａｖｇ＿Ｐは、将来のタイムスロットについての最大許容時間平均電力レベルである。最大許容デューティサイクルは、無線周波数（ＲＦ）システムによって（例えば、ネットワークによって提供されるアップリンク許可を通じて）提供され、規格、等によって定義されることができる。
【０１９１】
[0208]ある特定の態様では、（例えば、上述された方法のうちのいずれかを使用して）将来のタイムスロットについての最大許容時間平均電力レベルを決定した後、プロセッサ１１０は、方程式（１９）に基づいて将来のタイムスロットについての対応する最大ピーク電力を決定し得る。プロセッサ１１０は次いで、決定された最大許容ピーク電力に基づいて、将来のタイムスロットについての対応する送信機（例えば、送信機１２０又は１３０）のピーク電力限界を設定し得る。この例では、決定された最大許容ピーク電力に基づいて将来のタイムスロットについての送信器のピーク電力限界を設定することは、送信器のピーク電力が最大許容ピーク電力を超えることを防ぐ。言い換えれば、将来のタイムスロット中のピーク電力が最大許容ピーク電力を超えないように、将来のタイムスロット中の送信器の瞬時電力レベルは、最大許容ピーク電力によって制約される。
【０１９２】
[0209]プロセッサ１１０はまた、将来のタイムスロットについての最大許容時間平均電力レベルに基づいて、将来のタイムスロットについての最大許容デューティサイクルと最大許容ピーク電力との異なる組み合わせを含む表を生成し得る。例えば、プロセッサ１１０は、異なる最大許容デューティサイクルを方程式（１９）に入力し、異なる最大許容デューティサイクルの各々についての最大許容ピーク電力を決定することによって、表を生成し得る。この例では、プロセッサは、表を使用して将来のタイムスロット中のピーク電力に基づいてデューティサイクルを動的に調整し得るか、又は表を使用して将来のタイムスロット中の送信デューティサイクルに基づいてピーク電力を調整し得る。
【０１９３】
[0210]このことから、プロセッサ１１０は、将来のタイムスロットについての最大許容時間平均電力レベルを将来のタイムスロットについての最大許容デューティサイクルに変換し、最大許容デューティサイクルに基づいて対応する送信機の送信デューティサイクル限界を設定し得る。プロセッサ１１０はまた、将来のタイムスロットについての最大許容時間平均電力レベルを将来のタイムスロットについての最大許容ピーク電力に変換し、最大許容ピーク電力に基づいて対応する送信機のピーク電力限界を設定し得る。将来のタイムスロットについての最大許容時間平均電力レベルは、上述された方法のうちのいずれかを使用して決定され得る。将来のタイムスロットが外側ループ中の将来のタイムスロットである例では、最大許容時間平均電力レベルは、将来のタイムスロットについて計算された最大許容電力レベルに対応し得る。将来のタイムスロットが内側ループ中の将来のサブタイムスロットである例では、最大許容時間平均電力レベルは、将来のサブタイムスロット（例えば、１００ミリ秒のサブタイムスロット）について計算された最大許容電力レベルに対応し得る。本開示はこれらの例に限定されず、将来のタイムスロットについての最大許容時間平均電力レベルは他の方法を使用して決定され得ることが理解されるべきである。
【０１９４】
[0211]例えば、送信機（例えば、送信機１２０及び１３０）は、Ｎ個のタイムスロット（図１８におけるサブタイムスロットの数と混同されるべきではない）に分割された（離散化された）時間ウィンドウにわたって送信し得る。この例では、将来のタイムスロットについての最大許容時間平均電力レベルは、以下によって決定され得る：
【数２４】
2021529469.tif 000026
ここで、Ｐlimitは、規制機関のＳＡＲ限界又はＰＤ限界に対応するＲＦ曝露をもたらす時間平均送信電力であり、ａｖｇＰtkは、ｋ番目のタイムスロットにおける平均送信電力であり、Ｎ番目のタイムスロットは、将来のタイムスロットであり、Ｍａｘ＿ａｖｇＰtNは、将来のタイムスロットについての最大許容時間平均電力レベルである。方程式（２０）において、平均送信電力レベルは、Ｐlimitに対して正規化される。時間ウィンドウは、移動時間平均化ウィンドウであり得、それにおいて、将来のタイムスロットについての最大許容時間平均電力レベルは、ｔｉｍｅ＿ｗｉｎｄｏｗ／Ｎ秒毎に更新され、ここで、ｔｉｍｅ＿ｗｉｎｄｏｗは、時間ウィンドウの持続時間である。この例では、方程式（２０）における第１のタイムスロットからｋ番目のタイムスロットは、送信機による以前の送信に対応する。このことから、これらのタイムスロットについての平均送信電力レベルは、知られている。この例では、プロセッサ１１０は、方程式（２０）における条件を満たす最大許容時間平均電力レベルＭａｘ＿ａｖｇＰtkを決定することによって、将来のタイムスロットについての最大許容時間平均電力レベルＭａｘ＿ａｖｇＰtkを決定し得る。プロセッサ１１０は、方程式（２０）の左辺上の正規化時間平均電力が１以下になることをもたらす最大許容時間平均電力レベルＭａｘ＿ａｖｇＰtkを決定することによってこれを行い得る。
【０１９５】
[0212]上記の例では、プロセッサ１１０は、（例えば、方程式（１８）におけるＭａｘ＿ａｖｇ＿Ｐに対してＭａｘ＿ａｖｇＰtkを使用する方程式（１８）に基づいて）、将来のタイムスロットについての最大許容時間平均電力レベルＭａｘ＿ａｖｇＰtkを将来のタイムスロットについての最大許容デューティサイクルに変換し、最大許容デューティサイクルに基づいて、対応する送信機の送信デューティサイクル限界を設定し得る。プロセッサ１１０はまた、（例えば、方程式（１９）におけるＭａｘ＿ａｖｇ＿Ｐに対してＭａｘ＿ａｖｇＰtkを使用する方程式（１９）に基づいて）、将来のタイムスロットについての最大許容時間平均電力レベルＭａｘ＿ａｖｇＰtkを将来のタイムスロットについての最大許容ピーク電力に変換し、最大許容ピーク電力に基づいて、対応する送信機のピーク電力限界を設定し得る。
【０１９６】
[0213]ある特定の態様では、メモリ１１５は、プロセッサ１１０によって実行されると、プロセッサ１１０に方法１４００及び／又は本明細書で説明される任意の他の方法を実行させる記憶された命令を含むコンピュータ可読媒体を含み得る。コンピュータ可読媒体は、例として、ＲＡＭ（ランダムアクセスメモリ）、フラッシュメモリ、ＲＯＭ（読取専用メモリ）、ＰＲＯＭ（プログラマブル読取専用メモリ）、ＥＰＲＯＭ（消去可能プログラマブル読取専用メモリ）、ＥＥＰＲＯＭ（登録商標）（電気的消去可能プログラマブル読取専用メモリ）、レジスタ、磁気ディスク、光ディスク、ハードドライブ、若しくは任意の他の有形非一時的記憶媒体、又はそれらの任意の組み合わせを含み得る。
【０１９７】
[0214]ある特定の態様では、装置は、方法１４００を実行するための手段を含み得る。装置は、第１のワイヤレス通信技術についての比吸収率（ＳＡＲ）分布を決定するための手段と、第２のワイヤレス通信技術についての電力密度（ＰＤ）分布を決定するための手段と、組み合わされたＲＦ曝露分布を生成するために、ＳＡＲ分布とＰＤ分布とを組み合わせるための手段とを含み得る。装置はまた、組み合わされたＲＦ曝露分布に基づいて、将来のタイムスロットについての少なくとも１つの第１の最大許容電力レベル及び少なくとも１つの第２の最大許容電力レベルを決定するための手段と、少なくとも１つの第１の最大許容電力レベルに基づいて、将来のタイムスロットにおける第１の送信機についての少なくとも１つの送信電力限界を設定するための手段と、少なくとも１つの第２の最大許容電力レベルに基づいて、将来のタイムスロットにおける第２の送信機についての少なくとも１つの送信電力限界を設定するための手段とを含み得る。
【０１９８】
[0215]本開示は、本開示の態様を説明するために上記で使用された例証的な用語に限定されず、本開示は、同等な用語をカバーすることが理解されるべきである。例えば、分布はまた、マップ、スキャン、又は別の用語で呼ばれ得ることが理解されるべきである。別の例では、アンテナはまた、アンテナ素子又は別の用語で呼ばれ得ることが理解されるべきである。更に別の例では、最大許容電力レベルはまた、電力レベル限界又は別の用語で呼ばれ得ることが理解されるべきである。
【０１９９】
[0216]「約／ほぼ（approximately）」という用語は、記載された値又は特性に関して本明細書で使用される場合、記載された値又は特性の１０％以内であることを示すことを意図される。
【０２００】
[0217]「第１の」、「第２の」、等などの指定を使用する、本明細書での要素へのいかなる言及も一般に、それらの要素の数量又は順序を限定しない。むしろ、これらの指定は、２つ以上の要素又は１つの要素の複数のインスタンス間を区別する便利な方法として本明細書で使用される。このことから、第１及び第２の要素への言及は、２つの要素しか用いることができないこと、又は第１の要素が第２の要素に先行しなければならないことを意味しない。
【０２０１】
[0218]本開示内では、「例証的（exemplary）」という用語は、「例、事例、又は例示としての役割を果たす」という意味で使用される。「例証的」であるとして本明細書で説明されたどのインプリメンテーション又は態様も、本開示の他の態様より好ましい又は有利であると必ずしも解釈されるべきではない。同様に、「態様」という用語は、本開示の全ての態様が、議論される特徴、利点、又は動作モードを含むことを必要としない。
【０２０２】
[0219]本開示の先の説明は、当業者が本開示を製造又は使用することを可能にするために提供される。本開示に対する様々な修正は、当業者にとって容易に明らかとなり、本明細書で定義された包括的な原理は、本開示の趣旨又は範囲から逸脱することなしに他の変形に適用され得る。このことから、本開示は、本明細書で説明された例に限定されることを意図されず、本明細書で開示された原理及び新規の特徴と一致する最も広い範囲を付与されるべきである。
【図１】
2021529469.tif 000027
【図２】
2021529469.tif 000028
【図３】
2021529469.tif 000029
【図４】
2021529469.tif 000030
【図５】
2021529469.tif 000031
【図６】
2021529469.tif 000032
【図７】
2021529469.tif 000033
【図８】
2021529469.tif 000034
【図９】
2021529469.tif 000035
【図１０】
2021529469.tif 000036
【図１１】
2021529469.tif 000037
【図１２】
2021529469.tif 000038
【図１３】
2021529469.tif 000039
【図１４】
2021529469.tif 000040
【図１５】
2021529469.tif 000041
【図１６】
2021529469.tif 000042
【図１７】
2021529469.tif 000043
【図１８】
2021529469.tif 000044
【国際調査報告】
2021529469.tif 000045
2021529469.tif 000046
2021529469.tif 000047
2021529469.tif 000048